(57)【特許請求の範囲】
【請求項１】
固定費の対象とするカード利用先を記憶する固定費仕分けデータ記憶手段と、
カード利用者により固定費の対象として任意に指定されたカード利用先を記憶する利用者設定固定費利用先記憶手段と、
カード利用者により固定費以外の対象として任意に指定されたカード利用先を記憶する利用者設定固定費以外利用先記憶手段と、
カード利用者により固定費以外の特定の対象として任意に指定されたカード利用先を記憶する利用者設定固定費以外特定利用先記憶手段と、
カード利用毎の利用日、利用先情報、利用額を含むカード利用データを受信するカード利用データ受信手段と、
前記カード利用データ受信手段により受信されたカード利用データを、前記利用者設定固定費利用先記憶手段により記憶されたカード利用先と、前記利用者設定固定費以外利用先記憶手段により記憶されたカード利用先と、前記利用者設定固定費以外特定利用先記憶手段により記憶されたカード利用先と、前記固定費仕分けデータ記憶手段により記憶されたカード利用先とに基づいて、固定費としてのカード利用データと固定費以外のカード利用データと当該固定費以外のうちの特定のカード利用データとに仕分けする固定費／固定費以外仕分け手段と、
前記固定費／固定費以外仕分け手段により仕分けされた各カード利用データに基づいて、所定のカード利用期間に対応する固定費の支払額と固定費以外の支払額と当該固定費以外のうちの特定の支払額とを算出して前記カード利用者の利用者端末に送信し、前記利用者端末に、前記固定費の支払額と前記固定費以外の支払額と当該固定費以外のうちの特定の支払額とを、当該固定費の支払額と固定費以外の支払額と固定費以外のうちの特定の支払額とに応じた割合で区別した支払額のグラフ画像として表示させる支払額送信手段と、を備え、
前記カード利用データは、カード利用毎の利用日、加盟店端末の端末識別番号、利用額を含むオーソリデータを含み、
前記固定費／固定費以外仕分け手段により仕分けされた各カード利用データのうち、固定費として仕分けされたカード利用データに基づいて、カード利用毎の利用先情報と利用額を含む固定費利用明細を、前記オーソリデータに対応する固定費利用明細の場合は前記加盟店端末の端末識別番号に対応する利用先名と利用額を含み当該利用額の未確定利用情報を付加した固定費利用明細として前記利用者端末に送信し、前記利用者端末に、前記固定費利用明細の一覧を、前記未確定利用情報が付加された固定費利用明細には未確定利用としての識別情報を付加して表示させる固定費利用明細送信手段と、
前記固定費／固定費以外仕分け手段により仕分けされた各カード利用データのうち、固定費以外に仕分けされたカード利用データに基づいて、カード利用毎の利用先情報と利用額を含む固定費以外利用明細を、前記オーソリデータに対応する固定費以外利用明細の場合は前記加盟店端末の端末識別番号に対応する利用先名と利用額を含み当該利用額の未確定利用情報を付加した固定費以外利用明細として前記利用者端末に送信し、前記利用者端末に、前記固定費以外利用明細の一覧を、前記未確定利用情報が付加された固定費以外利用明細には未確定利用としての識別情報を付加して表示させる固定費以外利用明細送信手段と、
を備えたカード利用管理装置。
【請求項２】
前記固定費以外利用明細送信手段は、前記固定費／固定費以外仕分け手段により仕分けされた各カード利用データのうち、固定費以外として仕分けされたカード利用データに基づいて、カード利用毎の利用先情報と利用額を含む固定費以外利用明細を、前記特定のカード利用データに仕分けされた同カード利用データに対応する固定費以外利用明細には特定利用先情報を付加して前記利用者端末に送信し、前記利用者端末に前記固定費以外利用明細の一覧を、前記特定利用先情報の付加された固定費以外利用明細には特定利用先としての識別情報を付加して表示させる
請求項１に記載のカード利用管理装置。
【請求項３】
前記利用者端末に表示された固定費利用明細の一覧から任意の利用先が指定されたことに応じて当該指定の利用先を固定費以外に変更する要求を受信する固定費以外変更要求受信手段と、
前記固定費以外変更要求受信手段により受信された前記指定の利用先の固定費以外への変更の要求に基づいて、当該指定の利用先を、前記利用者設定固定費以外利用先記憶手段に固定費以外のカード利用先として記憶させる固定費設定変更手段とを備えた、
請求項１または請求項２に記載のカード利用管理装置。
【請求項４】
前記利用者端末に表示された固定費以外利用明細の一覧から任意の利用先が指定されたことに応じて当該指定の利用先を固定費に変更する要求を受信する固定費変更要求受信手段と、
前記固定費変更要求受信手段により受信された前記指定の利用先の固定費への変更の要求に基づいて、当該指定の利用先を、前記利用者設定固定費利用先記憶手段に固定費のカード利用先として記憶させる固定費以外設定変更手段とを備えた、
請求項１ないし請求項３の何れか一項に記載のカード利用管理装置。
【請求項５】
前記利用者端末に表示された固定費以外利用明細の一覧から任意の利用先が指定されたことに応じて当該指定の利用先を固定費以外の特定の利用先に変更する要求を受信する特定利用先変更要求受信手段と、
前記特定利用先変更要求受信手段により受信された前記指定の利用先の固定費以外の特定の利用先への変更の要求に基づいて、当該指定の利用先を、前記利用者設定固定費以外特定利用先記憶手段に固定費以外の特定のカード利用先として記憶させる特定利用先設定変更手段とを備えた、
請求項１ないし請求項４の何れか一項に記載のカード利用管理装置。
【請求項６】
ストレージを備えたカード利用管理サーバのプロセッサを、
固定費の対象とするカード利用先を前記ストレージに記憶させる固定費仕分けデータ記憶手段、
カード利用者により固定費の対象として任意に指定されたカード利用先を前記ストレージに記憶させる利用者設定固定費利用先記憶手段、
カード利用者により固定費以外の対象として任意に指定されたカード利用先を前記ストレージに記憶させる利用者設定固定費以外利用先記憶手段、
カード利用者により固定費以外の特定の対象として任意に指定されたカード利用先を前記ストレージに記憶させる利用者設定固定費以外特定利用先記憶手段、
カード利用毎の利用日、利用先情報、利用額を含むカード利用データを受信するカード利用データ受信手段、
前記カード利用データ受信手段により受信されたカード利用データを、前記利用者設定固定費利用先記憶手段により記憶されたカード利用先と、前記利用者設定固定費以外利用先記憶手段により記憶されたカード利用先と、前記利用者設定固定費以外特定利用先記憶手段により記憶されたカード利用先と、前記固定費仕分けデータ記憶手段により記憶されたカード利用先とに基づいて、固定費としてのカード利用データと固定費以外のカード利用データと当該固定費以外のうちの特定のカード利用データとに仕分けする固定費／固定費以外仕分け手段、
前記固定費／固定費以外仕分け手段により仕分けされた各カード利用データに基づいて、所定のカード利用期間に対応する固定費の支払額と固定費以外の支払額と当該固定費以外のうちの特定の支払額とを算出して前記カード利用者の利用者端末に送信し、前記利用者端末に、前記固定費の支払額と前記固定費以外の支払額と当該固定費以外のうちの特定の支払額とを、当該固定費の支払額と固定費以外の支払額と固定費以外のうちの特定の支払額とに応じた割合で区別した支払額のグラフ画像として表示させる支払額送信手段、として機能させ、
前記カード利用データは、カード利用毎の利用日、加盟店端末の端末識別番号、利用額を含むオーソリデータを含み、
前記プロセッサを、さらに、
前記固定費／固定費以外仕分け手段により仕分けされた各カード利用データのうち、固定費として仕分けされたカード利用データに基づいて、カード利用毎の利用先情報と利用額を含む固定費利用明細を、前記オーソリデータに対応する固定費利用明細の場合は前記加盟店端末の端末識別番号に対応する利用先名と利用額を含み当該利用額の未確定利用情報を付加した固定費利用明細として前記利用者端末に送信し、前記利用者端末に、前記固定費利用明細の一覧を、前記未確定利用情報が付加された固定費利用明細には未確定利用としての識別情報を付加して表示させる固定費利用明細送信手段、
前記固定費／固定費以外仕分け手段により仕分けされた各カード利用データのうち、固定費以外に仕分けされたカード利用データに基づいて、カード利用毎の利用先情報と利用額を含む固定費以外利用明細を、前記オーソリデータに対応する固定費以外利用明細の場合は前記加盟店端末の端末識別番号に対応する利用先名と利用額を含み当該利用額の未確定利用情報を付加した固定費以外利用明細として前記利用者端末に送信し、前記利用者端末に、前記固定費以外利用明細の一覧を、前記未確定利用情報が付加された固定費以外利用明細には未確定利用としての識別情報を付加して表示させる固定費以外利用明細送信手段、
として機能させるためのプログラム。
【発明の詳細な説明】
【技術分野】
【０００１】
本発明は、クレジットカードの利用を適切に管理するためのカード利用管理装置およびプログラムに関する。
【背景技術】
【０００２】
従来から、カード会社が発行するクレジットカード（以降は単に「カード」と呼称する。）をその会員が利用して物品等を購入することが行われている。近年、市場では、急速なキャッシュレス化が進み、カードの利用が広く個人に浸透している。
【０００３】
従来、カード会社が、カードの利用者（カード利用者）に提供しているサービスの一つとして、次のような支出管理サービスがある。
【０００４】
支出管理サービスは、カード会社が提供するカード利用者専用のアプリをカード利用者の携帯端末（スマートフォンなど）にインストールし、携帯端末をカード会社のサーバと接続することで、携帯端末に、カード利用による支出を、日用品、食費、外食などの各カテゴリに自動で分類したグラフにして表示させ、当該カード利用による支出を家計簿のように確認できるようにしたサービスである（例えば、非特許文献１参照。）。
【先行技術文献】
【非特許文献】
【０００５】
【非特許文献１】楽天カードアプリ 公式サイト、[online]、[令和１年１１月４日検索]、インターネット<URL:https://www.rakuten-card.co.jp/service/app/>
【非特許文献２】Money Forward ME 公式サイト、[online]、[令和１年１１月４日検索]、インターネット<URL:https://moneyforward.com/>
【発明の概要】
【発明が解決しようとする課題】
【０００６】
従来の支出管理サービスにおいて、カード利用による支出が、支出を分類する各カテゴリ（日用品、食費、外食など）のうち何れのカテゴリに属するかは、カード会社のサーバ側で、例えば、支出先となる各カード加盟店の名称と各カテゴリとを予め対応付けたデータベースに基づき一意に管理される。
【０００７】
しかしながら、スーパーマーケット、コンビニエンスストア、ドラッグストアなどに見られるように、近年、各店で扱われる商品は多様化しており、例えば、ある同じコンビニエンスストアであっても、カード利用者によって、日用品を主に購入している店なのか、食品を主に購入している店なのかは様々である。
【０００８】
このため、カード利用者にとっては、カード利用による支出が複数のカテゴリに自動で分類されて容易に確認できるだけでなく、支出によりカード利用者の任意のカテゴリに分類して適切に家計管理したい要望がある。
【０００９】
本発明は、このような課題に鑑みなされたもので、その目的は、カード利用による支出を複数のカテゴリに自動で分類して容易に確認できるだけなく、支出によりカード利用者の任意のカテゴリに分類して適切に家計管理することが可能になるカード利用管理装置およびプログラムを提供することにある。
【課題を解決するための手段】
【００１０】
本発明に係るカード利用管理装置は、
固定費の対象とするカード利用先を記憶する固定費仕分けデータ記憶手段と、
カード利用者により固定費の対象として任意に指定されたカード利用先を記憶する利用者設定固定費利用先記憶手段と、
カード利用者により固定費以外の対象として任意に指定されたカード利用先を記憶する利用者設定固定費以外利用先記憶手段と、
カード利用者により固定費以外の特定の対象として任意に指定されたカード利用先を記憶する利用者設定固定費以外特定利用先記憶手段と、
カード利用毎の利用日、利用先情報、利用額を含むカード利用データを受信するカード利用データ受信手段と、
前記カード利用データ受信手段により受信されたカード利用データを、前記利用者設定固定費利用先記憶手段により記憶されたカード利用先と、前記利用者設定固定費以外利用先記憶手段により記憶されたカード利用先と、前記利用者設定固定費以外特定利用先記憶手段により記憶されたカード利用先と、前記固定費仕分けデータ記憶手段により記憶されたカード利用先とに基づいて、固定費としてのカード利用データと固定費以外のカード利用データと当該固定費以外のうちの特定のカード利用データとに仕分けする固定費／固定費以外仕分け手段と、
前記固定費／固定費以外仕分け手段により仕分けされた各カード利用データに基づいて、所定のカード利用期間に対応する固定費の支払額と固定費以外の支払額と当該固定費以外のうちの特定の支払額とを算出して前記カード利用者の利用者端末に送信し、前記利用者端末に、前記固定費の支払額と前記固定費以外の支払額と当該固定費以外のうちの特定の支払額とを、当該固定費の支払額と固定費以外の支払額と固定費以外のうちの特定の支払額とに応じた割合で区別した支払額のグラフ画像として表示させる支払額送信手段と、を備え、
前記カード利用データは、カード利用毎の利用日、加盟店端末の端末識別番号、利用額を含むオーソリデータを含み、
前記固定費／固定費以外仕分け手段により仕分けされた各カード利用データのうち、固定費として仕分けされたカード利用データに基づいて、カード利用毎の利用先情報と利用額を含む固定費利用明細を、前記オーソリデータに対応する固定費利用明細の場合は前記加盟店端末の端末識別番号に対応する利用先名と利用額を含み当該利用額の未確定利用情報を付加した固定費利用明細として前記利用者端末に送信し、前記利用者端末に、前記固定費利用明細の一覧を、前記未確定利用情報が付加された固定費利用明細には未確定利用としての識別情報を付加して表示させる固定費利用明細送信手段と、
前記固定費／固定費以外仕分け手段により仕分けされた各カード利用データのうち、固定費以外に仕分けされたカード利用データに基づいて、カード利用毎の利用先情報と利用額を含む固定費以外利用明細を、前記オーソリデータに対応する固定費以外利用明細の場合は前記加盟店端末の端末識別番号に対応する利用先名と利用額を含み当該利用額の未確定利用情報を付加した固定費以外利用明細として前記利用者端末に送信し、前記利用者端末に、前記固定費以外利用明細の一覧を、前記未確定利用情報が付加された固定費以外利用明細には未確定利用としての識別情報を付加して表示させる固定費以外利用明細送信手段と、を備えている。
【発明の効果】
【００１１】
本発明によれば、カード利用者にとって、カード利用による支出が複数のカテゴリに自動で分類されて容易に確認できるだけなく、支出によりカード利用者の任意のカテゴリに分類して適切に家計管理することが可能になる。
【図面の簡単な説明】
【００１２】
【図１】本発明の実施形態に係るカード利用管理システムの全体の構成を示すブロック図。
【図２】カード利用管理サーバ１０の電子回路の構成を示すブロック図。
【図３】カード利用管理サーバ１０の管理データ記憶エリア１２Ｄに記憶される固定費仕分けデータ１２ｄ１の一例を示す図。
【図４】カード利用管理サーバ１０の管理データ記憶エリア１２Ｄに利用者設定データ１２ｄ３として記憶される固定費以外利用先データ１２ｄ３１の一例を示す図。
【図５】カード利用管理サーバ１０の管理データ記憶エリア１２Ｄに利用者設定データ１２ｄ３として記憶される固定費費目データ１２ｄ３２の一例を示す図。
【図６】カード利用管理サーバ１０の管理データ記憶エリア１２Ｄに利用者設定データ１２ｄ３として記憶される固定費利用先データ１２ｄ３３の一例を示す図。
【図７】カード利用管理サーバ１０の管理データ記憶エリア１２Ｄに利用者設定データ１２ｄ３として記憶される固定費以外特定利用先データ１２ｄ３４の一例を示す図。
【図８】カード利用管理サーバ１０の管理データ記憶エリア１２Ｄに記憶されるオーソリデータ１２ｄ５の一例を示す図。
【図９】カード利用管理サーバ１０の管理データ記憶エリア１２Ｄに記憶される債権データ１２ｄ６の一例を示す図。
【図１０】利用者端末２０の電子回路の構成を示すブロック図。
【図１１】カード利用管理サーバ１０により実行されるカード利用データ格納処理を示すフローチャート。
【図１２】カード利用データ格納処理における固定費／固定費以外仕分け処理を示すフローチャート。
【図１３】カード利用管理サーバ１０と利用者端末２０との間で連携して実行されるホーム画面生成・表示処理を示すフローチャート。
【図１４】ホーム画面生成・表示処理に含まれるカード利用管理サーバ１０側でのメイン画面生成用データ取得・送信処理と利用者端末２０側でのメイン画面生成・表示処理とを示すフローチャート。
【図１５】ホーム画面生成・表示処理に含まれるカード利用管理サーバ１０側での家計画面生成用データ取得・送信処理と利用者端末２０側での家計画面生成・表示処理とを示すフローチャート。
【図１６】ホーム画面生成・表示処理に従い利用者端末２０に表示されたメイン画面ＧＭおよび家計画面ＧＫの一例を示す図。
【図１７】カード利用管理サーバ１０と利用者端末２０との間で連携して実行される固定費利用明細表示処理を示すフローチャート。
【図１８】固定費利用明細表示処理に従い利用者端末２０に表示される固定費利用明細画面ＧＸの固定費リストの形式を示す図。
【図１９】固定費利用明細表示処理に従い利用者端末２０に表示された固定費利用明細画面ＧＸの一例を示す図。
【図２０】カード利用管理サーバ１０と利用者端末２０との間で連携して実行される固定費設定変更処理のうち利用者端末２０側での処理を示すフローチャート。
【図２１】カード利用管理サーバ１０と利用者端末２０との間で連携して実行される固定費設定変更処理のうちカード利用管理サーバ１０側での処理を示すフローチャート。
【図２２】固定費設定変更処理に従った利用者端末２０での画面遷移の一例（その１）を示す図。
【図２３】固定費設定変更処理に従った利用者端末２０での画面遷移の一例（その２）を示す図。
【図２４】固定費設定変更処理（図２０・図２１）に従い固定費として仕分けされているカード利用先「ＴＫＯ電力」の費目を「その他」ｈ１７に設定変更した場合の固定費利用明細画面ＧＸの例と、固定費以外設定変更処理（図２７・図２８）に従い固定費以外に仕分けされているカード利用先「ＫＮＭスポーツクラブ」を固定費に設定変更した場合の固定費利用明細画面ＧＸの例とを示す図。
【図２５】カード利用管理サーバ１０と利用者端末２０との間で連携して実行される固定費以外利用明細表示処理を示すフローチャート。
【図２６】固定費以外利用明細表示処理に従い利用者端末２０に表示された固定費以外利用明細画面ＧＨの一例を示す図。
【図２７】カード利用管理サーバ１０と利用者端末２０との間で連携して実行される固定費以外設定変更処理のうち利用者端末２０側での処理を示すフローチャート。
【図２８】カード利用管理サーバ１０と利用者端末２０との間で連携して実行される固定費以外設定変更処理のうちカード利用管理サーバ１０側での処理を示すフローチャート。
【図２９】固定費以外設定変更処理に従った利用者端末２０での画面遷移の一例（その１）を示す図。
【図３０】固定費以外設定変更処理に従った利用者端末２０での画面遷移の一例（その２）を示す図。
【図３１】固定費以外設定変更処理に従った利用者端末２０での画面遷移の一例（その３）を示す図。
【発明を実施するための形態】
【００１３】
以下図面を参照して本発明の実施形態について説明する。
【００１４】
図１は、本発明の実施形態に係るカード利用管理システムの全体の構成を示すブロック図である。
【００１５】
カード利用管理システムは、カード発行会社のカード利用管理サーバ１０（カード利用管理装置）と、カード発行会社が発行したカードの会員であるカード利用者の利用者端末２０（カード利用者端末）と、当該カードの加盟店の加盟店端末３０とを備える。
【００１６】
利用者端末２０は、カード利用者が使用する端末であることをカード利用管理サーバ１０に登録したスマートフォン、タブレット端末などの携帯端末からなり、カード利用管理サーバ１０と公衆の通信ネットワーク（インターネット）ＩＮを介して通信接続可能な通信機能を有する。利用者端末２０は、カード会社が会員に提供するカード利用専用アプリ２２ｐ２（図１０参照）を、通信ネットワーク（インターネット）ＩＮ上のプログラムサーバ（ここではアプリストア）（図示せず）からダウンロードしインストールして使用する。
【００１７】
加盟店端末３０は、ＣＡＴ(Credit Authorization Terminal)などの信用照会端末であり、カード利用管理サーバ１０とＣＡＦＩＳ(Credit And Finance Information Switching system)などのカード決済オンラインネットワークＳＮを介して通信接続可能な通信機能を有する。加盟店端末３０は、カード利用者がカードを利用した際に、カード利用のオーソリゼーションデータ（カード番号／利用日時／利用額／支払方法（１回／分割／リボ）／端末識別番号を含む）（以降、実施形態の説明では単に「オーソリデータ」と呼称する。）をカード決済オンラインネットワークＳＮへ送信し、カード利用の可否判定（信用照会）を受ける。なお、カード利用の可否判定を受けた後のオーソリデータには、判定結果（信用承認／非承認）のデータも含まれる。
【００１８】
カード決済オンラインネットワークＳＮ上には、カード発行会社（イシュア）のカード利用管理サーバ１０、加盟店端末３０のほかに、アクワイアラ（加盟店獲得・管理会社）であるカード会社のサーバ（図示せず）、国際ブランド（国際決済可能なシステムを提供）であるカード会社のサーバ（図示せず）、銀行などの金融機関のサーバなどが通信可能に存在する。
【００１９】
カード決済オンラインネットワークＳＮにおいて、国際ブランド、イシュア、アクワイアラの３つの役割とも同じカード会社が行っているカードの決済形態もあれば、何れか２つの役割を同じカード会社が行っているカードの決済形態、あるいは全ての役割を別々のカード会社が行っているカードの決済形態も存在する。
【００２０】
本実施形態では、例えば、加盟店端末３０からカード決済オンラインネットワークＳＮに送信されたオーソリデータに対しては、カード発行会社のカード利用管理サーバ１０がカード利用の可否判定処理を行ない、判定結果（信用承認／非承認）のデータを含めたオーソリデータを、再びカード決済オンラインネットワークＳＮを介して、国際ブランドであるカード会社のサーバ、アクワイアラであるカード会社のサーバ、および加盟店端末３０に送信する。
【００２１】
カード利用管理サーバ１０からカード利用可（信用承認）の判定結果のデータを含めたオーソリデータが送信されると、加盟店端末３０は、カード利用の決済処理を行ない、国際ブランドであるカード会社のサーバは、当該決済処理から数日後などの一定期間後に、カード利用額の確定処理を行ない、カード利用額の確定データをカード発行会社のカード利用管理サーバ１０に送信する。
【００２２】
本実施形態のカード利用管理システムにおいて、カード利用管理サーバ１０は、個々のカード利用に対応するカード利用額を、カード利用の利用先に応じて、固定費(費目別)と固定費以外のカード利用額として自動で仕分けして管理し、更に、固定費以外に仕分けされたカード利用額のうち、カード利用者が任意に指定した利用先のカード利用額を、固定費以外特定利用先（（利用者設定）固定費以外特定利用先）のカード利用額に変更して管理する機能を有する。
【００２３】
また、カード利用管理サーバ１０は、固定費として自動仕分けの対象とされているカード利用先のうち、カード利用者が任意に指定した利用先を、固定費以外の利用先（（利用者設定）固定費以外利用先）に変更して管理する機能を有する。
【００２４】
また、カード利用管理サーバ１０は、固定費以外として自動仕分けの対象とされているカード利用先のうち、カード利用者が任意に指定した利用先を、固定費（費目：その他）の利用先（（利用者設定）固定費利用先）に変更して管理する機能を有する。
【００２５】
また、カード利用管理サーバ１０は、固定費（費目別）として自動仕分けの対象とされているカード利用先のうち、カード利用者が任意に指定した利用先を、同固定費内の任意の費目（（利用者設定）固定費費目）に変更して管理する機能を有する。
【００２６】
なお「固定費」とは、所定のカード利用期間（一定期間：毎月あるいは２カ月に一度など）毎に固定的に支払いが発生する費用のことをいう。
【００２７】
また、カード利用管理サーバ１０は、オーソリデータに基づくカード利用額を含めた所定のカード利用期間毎の利用額（支払額）のうち、オーソリデータに基づくカード利用額を未確定の利用額、オーソリデータに基づくカード利用額以外のカード利用額（債権データに基づく利用額）を確定した利用額として管理する機能を有する。
【００２８】
図２は、カード利用管理サーバ１０の電子回路の構成を示すブロック図である。
【００２９】
カード利用管理サーバ１０は、制御部であるＣＰＵ１１（プロセッサ）を備えている。
【００３０】
ＣＰＵ１１（プロセッサ）は、ハードディスク、フラッシュメモリなどの記憶部１２（ストレージ）に予め記憶されたプログラム、ＣＤ−ＲＯＭなどの外部記録媒体１３から記録媒体読取部１４により読み取られて記憶部１２に記憶されたプログラム、あるいは通信ネットワークＩＮ上のＷｅｂサーバ（この場合はプログラムサーバ）（図示せず）から通信部１５を介してダウンロードされ記憶部１２に記憶されたプログラム、に従って回路各部の動作を制御し各種の機能を実行する。
【００３１】
ＣＰＵ１１には、システムバスＢｕｓを介して、記憶部１２、記録媒体読取部１４、通信ネットワークＩＮとの通信インターフェイスである通信部１５、カード決済オンラインネットワークＳＮとの通信インターフェイスである決済システム通信部１６、キーボード、ポインティングデバイスなどの入力部１７、および表示部１８などが接続されている。
【００３２】
記憶部１２には、プログラム記憶エリア１２Ｐ、管理データ記憶エリア１２Ｄなどの複数種類のデータ記憶エリアが確保される。
【００３３】
プログラム記憶エリア１２Ｐには、カード利用管理サーバ１０の全体の制御を司るサーバシステムプログラム１２ｐ１のほかに、カード利用データ格納アプリ１２ｐ２、支払額算出アプリ１２ｐ３、ホーム画面生成データ取得アプリ１２ｐ４、利用者設定アプリ１２ｐ５、利用明細提供アプリ１２ｐ６、固定費設定変更アプリ１２ｐ７、および固定費以外設定変更アプリ１２ｐ８などが記憶される。
【００３４】
カード利用データ格納アプリ１２ｐ２は、カード利用毎に管理すべきデータ（利用日時／利用先／利用額／支払方法を含む）を、オーソリデータ１２ｄ５（図８参照）または債権データ１２ｄ６（図９参照）として格納する際に、固定費仕分けデータ１２ｄ１（図３参照）および利用者設定データ１２ｄ３１〜１２ｄ３４（図４〜図７参照）に基づき、費目別の固定費または固定費以外または固定費以外特定利用先に仕分けして格納するためのプログラムである。
【００３５】
支払額算出アプリ１２ｐ３は、カード利用者の利用額、利用毎の支払方法（１回払い／分割払い／リボルビング払い）、予め設定された金利、カード会社の手数料などに基づいて、例えば毎月のカード利用締切日により定まる所定のカード利用期間毎の支払額を算出するためのプログラムである。
【００３６】
ホーム画面生成データ取得アプリ１２ｐ４は、利用者端末２０にインストールしたカード利用専用アプリ２２ｐ２に従い当該利用者端末２０のタッチパネル式表示部２５にカード利用者の専用のホーム画面（メイン画面ＧＭまたは家計画面ＧＫ（図１６参照））を表示させるのに必要な各種のデータを取得し、利用者端末２０に送信するためのプログラムである。
【００３７】
利用者設定アプリ１２ｐ５は、カード利用専用アプリ２２ｐ２が起動された利用者端末２０との間でカード利用者毎に任意に設定される複数の利用者設定データ（固定費以外利用先１２ｄ３１（図４参照）／固定費費目１２ｄ３２（図５参照）／固定費利用先１２ｄ３３（図６参照）／固定費以外特定利用先１２ｄ３４（図７参照）の設定データ含む）１２ｄ３を、カード利用管理サーバ１０に登録するためのプログラムである。
【００３８】
利用明細提供アプリ１２ｐ６は、オーソリデータに基づくカード利用額を含めたカード利用毎の利用明細データを、利用者端末２０にインストールしたカード利用専用アプリ２２ｐ２を通して、固定費または固定費以外の利用明細データとして利用者端末２０に表示させるためのプログラムである。
【００３９】
固定費設定変更アプリ１２ｐ７は、利用者端末２０にインストールしたカード利用専用アプリ２２ｐ２を通して、固定費（費目別）として自動仕分けの対象に設定されているカード利用先のうち、カード利用者が任意に指定した利用先を、固定費以外の利用先（（利用者設定)固定費以外利用先）または同固定費内の任意の費目（（利用者設定）固定費費目）に変更して設定するためのプログラムである。
【００４０】
固定費以外設定変更アプリ１２ｐ８は、利用者端末２０にインストールしたカード利用専用アプリ２２ｐ２を通して、固定費以外として自動仕分けの対象に設定されているカード利用先のうち、カード利用者が任意に指定した利用先を、固定費（費目：その他）の利用先（（利用者設定）固定費利用先）または固定費以外特定利用先（（利用者設定）固定費以外特定利用先）に変更して設定するためのプログラムである。
【００４１】
管理データ記憶エリア１２Ｄには、固定費仕分けデータ１２ｄ１、利用者データ１２ｄ２、利用者設定データ１２ｄ３、加盟店データ１２ｄ４、オーソリデータ１２ｄ５、債権データ１２ｄ６、利用期間データ１２ｄ７、および支払額データ１２ｄ８などが記憶される。
【００４２】
図３は、カード利用管理サーバ１０の管理データ記憶エリア１２Ｄに記憶される固定費仕分けデータ１２ｄ１の一例を示す図である。
【００４３】
固定費仕分けデータ１２ｄ１は、カード利用毎に管理すべきデータ（利用日時／利用先／利用額／支払方法を含む）を、費目別の固定費または固定費以外に自動仕分けするためのデータであって、予め設定された複数種類の費目（電気／ガス／水道／携帯電話／固定電話／…／その他）のデータ毎に、カード利用の対象となるカード加盟店の名称（加盟店識別情報）のデータが対応付けられて記憶される。（固定費仕分けデータ記憶手段）
利用者データ１２ｄ２としては、カード利用者毎の利用者ＩＤ（識別番号）、パスワード、カード番号、氏名、端末機器番号、メールアドレス、および電話番号など、カード利用者に固有の各データ(利用者識別情報)および利用者端末２０に固有の各データ(端末機器情報)が対応付けられて記憶される。
【００４４】
利用者設定データ１２ｄ３としては、カード利用者毎のカード番号と、カード利用者により任意に設定された目安額、固定費以外利用先、固定費費目、固定費利用先、固定費以外特定利用先などの各データが対応付けられて記憶される。
【００４５】
図４は、カード利用管理サーバ１０の管理データ記憶エリア１２Ｄに利用者設定データ１２ｄ３として記憶される固定費以外利用先データ１２ｄ３１の一例を示す図である。（利用者設定固定費以外利用先記憶手段）
図５は、カード利用管理サーバ１０の管理データ記憶エリア１２Ｄに利用者設定データ１２ｄ３として記憶される固定費費目データ１２ｄ３２の一例を示す図である。
【００４６】
図６は、カード利用管理サーバ１０の管理データ記憶エリア１２Ｄに利用者設定データ１２ｄ３として記憶される固定費利用先データ１２ｄ３３の一例を示す図である。（利用者設定固定費利用先記憶手段）
図７は、カード利用管理サーバ１０の管理データ記憶エリア１２Ｄに利用者設定データ１２ｄ３として記憶される固定費以外特定利用先データ１２ｄ３４の一例を示す図である。（利用者設定固定費以外特定利用先記憶手段）
加盟店データ１２ｄ４としては、カード加盟店毎の加盟店端末３０の端末識別番号と当該加盟店の名称の各データが対応付けられて記憶される。
【００４７】
図８は、カード利用管理サーバ１０の管理データ記憶エリア１２Ｄに記憶されるオーソリデータ１２ｄ５の一例を示す図である。
【００４８】
オーソリデータ１２ｄ５は、カード利用者のカード利用に応じて、加盟店端末３０からカード決済オンラインネットワークＳＮを介して受信され記憶されるもので、当該オーソリデータ１２ｄ５には、カード番号、利用日時、利用額、支払方法（１回／分割／リボ）、端末識別番号の各データが含まれる。
【００４９】
またオーソリデータ１２ｄ５には、端末識別番号に対応して加盟店データ１２ｄ４から読み出される加盟店（利用先）の名称が、（利用者設定）固定費以外利用先データ１２ｄ３１に無く、且つ、固定費仕分けデータ１２ｄ１または（利用者設定）固定費費目データ１２ｄ３２または（利用者設定）固定費利用先データ１２ｄ３３に有る場合、固定費フラグＯＮ“１”と（費目）のデータが対応付けられて記憶され、（利用者設定）固定費以外特定利用先データ１２ｄ３４に有る場合、固定費以外特定利用先フラグＯＮ“１”のデータが対応付けられて記憶される。
【００５０】
またオーソリデータ１２ｄ５には、カード決済オンラインネットワークＳＮからカード利用額の確定データが受信された場合、無効フラグＯＮ“１”のデータが対応付けられて記憶される。
【００５１】
なお、加盟店端末３０からのオーソリデータ１２ｄ５に基づき、カード決済オンラインネットワークＳＮにてカード利用の可否判定（信用照会）を受けた後は、当該オーソリデータ１２ｄ５には、判定結果（信用承認／非承認）のデータも含まれる。
【００５２】
図９は、カード利用管理サーバ１０の管理データ記憶エリア１２Ｄに記憶される債権データ１２ｄ６の一例を示す図である。
【００５３】
債権データ１２ｄ６は、カード利用者のカード利用に応じて、その一定期間後にカード決済オンラインネットワークＳＮから受信されるカード利用額の確定データが、カード利用者毎の債権データとして記憶されるもので、当該債権データ１２ｄ６には、カード番号、利用日時、利用先（加盟店）の識別情報（名称）、利用額、支払方法（１回／分割／リボ）の各データが含まれる。
【００５４】
また債権データ１２ｄ６には、利用先の名称が、（利用者設定）固定費以外利用先データ１２ｄ３１に無く、且つ、固定費仕分けデータ１２ｄ１または（利用者設定）固定費費目データ１２ｄ３２または（利用者設定）固定費利用先データ１２ｄ３３に有る場合、固定費フラグＯＮ“１”と（費目）のデータが対応付けられて記憶され、（利用者設定）固定費以外特定利用先データ１２ｄ３４に有る場合、固定費以外特定利用先フラグＯＮ“１”のデータが対応付けられて記憶される。
【００５５】
利用期間データ１２ｄ７としては、カード利用者毎のカード番号、例えば月毎のカード利用の締切日、支払日の各データが対応付けられて記憶される。
【００５６】
支払額データ１２ｄ８としては、カード利用者毎のカード番号、オーソリデータ１２ｄ５および債権データ１２ｄ６に基づき支払額算出アプリ１２ｐ３により算出された所定のカード利用期間毎の支払額（固定費／固定費以外／固定費以外特定利用先を仕分けした支払額を含む）の各データが対応付けられて記憶される。
【００５７】
なお、カード利用締切日と支払額を算出する当日との関係から、支払いが確定した利用期間の支払額に対しては確定の情報が付加され、支払が未確定の利用期間の支払額に対しては未確定の情報が付加される。
【００５８】
また、算出された支払額にオーソリデータ１２ｄ５に基づく支払額が含まれる場合、当該オーソリデータ１２ｄ５に基づく分の支払額のデータも同オーソリデータに基づく分の支払額であることの情報を付加して記憶される。
【００５９】
このように構成されたカード利用管理サーバ１０は、ＣＰＵ１１が、各プログラム１２ｐ１〜１２ｐ８に記述された命令に従い回路各部の動作を制御し、ソフトウエアとハードウエアとが協働して動作することにより、後述の動作説明で述べるような、カード利用データ格納機能（図１１参照）、固定費／固定費以外仕分け機能（図１２参照）、ホーム画面生成・表示機能（図１３参照）、メイン画面生成用データ取得・送信機能（図１４参照）、家計画面生成用データ取得・送信機能（図１５参照）、固定費利用明細表示機能（図１７参照）、固定費設定変更機能（図２１参照）、固定費以外利用明細表示機能（図２５参照）、固定費以外設定変更機能（図２８参照）を含む各種の機能を実現する。
【００６０】
図１０は、利用者端末２０の電子回路の構成を示すブロック図である。
【００６１】
利用者端末２０は、制御部であるＣＰＵ２１（プロセッサ）を備えている。
【００６２】
ＣＰＵ２１（プロセッサ）は、フラッシュメモリなどの記憶部２２（ストレージ）に予め記憶されたプログラム、メモリカードなどの外部記録媒体２３から記録媒体読取部２４により読み取られて記憶部２２に記憶されたプログラム、あるいは通信ネットワークＩＮ上のＷｅｂサーバ（この場合はプログラムサーバ）（図示せず）から通信部２６を介してダウンロードされ記憶部２２に記憶されたプログラム、に従って回路各部の動作を制御し各種の機能を実行する。
【００６３】
ＣＰＵ２１には、システムバスＢｕｓを介して、記憶部２２、記録媒体読取部２４、通信ネットワークＩＮとの通信インターフェイスである通信部２６、およびタッチパネル式表示部２５などが接続されている。
【００６４】
記憶部２２には、端末データ記憶エリア２２Ｒ、プログラム記憶エリア２２Ｐ、作業データ記憶エリア２２Ｗなどの複数種類のデータ記憶エリアが確保される。
【００６５】
端末データ記憶エリア２２Ｒには、利用者端末２０に固有の端末機器番号、メールアドレス、電話番号、利用者ＩＤなどの各データ（端末機器情報）が記憶される。
【００６６】
プログラム記憶エリア２２Ｐには、利用者端末２０の全体の制御を司る端末システムプログラム２２ｐ１のほかに、カード利用専用アプリ２２ｐ２などが記憶される。
【００６７】
カード利用専用アプリ２２ｐ２は、カード利用者の利用者ＩＤ（識別番号）、パスワード、カード番号などに基づいて、通信ネットワークＩＮ上のＷｅｂサーバ（ここではアプリストア）（図示せず）からダウンロードしてインストールしたプログラムであり、カード利用管理サーバ１０と連携して、ホーム画面生成・表示処理（図１３参照）、メイン画面生成・表示処理（図１４参照）、家計画面生成・表示処理（図１５参照）、固定費利用明細表示処理（図１７参照）、固定費設定変更処理（図２０参照）、固定費以外利用明細表示処理（図２５参照）、固定費以外設定変更処理（図２７参照）などを行なうためのプログラムである。
【００６８】
作業データ記憶エリア２２Ｗには、カード利用画面生成用データ２２ｗ１、カード利用専用画面データ２２ｗ２、およびタッチパネル式表示部２５に表示させるためのビットマップ形式の表示データ２２ｗ３などが記憶される。
【００６９】
カード利用画面生成用データ２２ｗ１としては、カード利用管理サーバ１０から送信された各種の画面（ホーム画面（メイン画面ＧＭ／家計画面ＧＫ）（図１６参照）／利用明細画面（固定費利用明細画面ＧＸ（図１９参照）／固定費以外利用明細画面ＧＨ（図２５参照）／…）を生成するためのデータが、利用者端末２０に受信されて記憶される。
【００７０】
カード利用専用画面データ２２ｗ２としては、カード利用専用アプリ２２ｐ２に従って、カード利用画面生成用データ２２ｗ１に基づき生成された各種の画面（メイン画面ＧＭ／家計画面ＧＫ／固定費利用明細画面ＧＸ／固定費以外利用明細画面ＧＨ／…）のデータが記憶される。
【００７１】
カード利用専用画面データ２２ｗ２として記憶された各種の画面（ＧＭ／ＧＫ／ＧＸ／ＧＨ／…）のデータは、当該各画面を表示させるタイミングで表示データ２２ｗ３として書き込まれ、タッチパネル式表示部２５に表示される。
【００７２】
このように構成された利用者端末２０は、ＣＰＵ２１が、各プログラム２２ｐ１，２２ｐ２に記述された命令に従い回路各部の動作を制御し、ソフトウエアとハードウエアとが協働して動作することにより、以下の動作説明で述べるような、ホーム画面生成・表示機能（図１３参照）、メイン画面生成・表示機能（図１４参照）、家計画面生成・表示機能（図１５参照）、固定費利用明細表示機能（図１７参照）、固定費設定変更機能（図２０参照）、固定費以外利用明細表示機能（図２５参照）、固定費以外設定変更機能（図２７参照）を含む各種の機能を実現する。
【００７３】
次に、実施形態に係るカード利用管理システムの動作について説明する。
【００７４】
＜カード利用データ格納処理＞（図１１）
図１１は、カード利用管理サーバ１０により実行されるカード利用データ格納処理を示すフローチャートである。
【００７５】
カード利用者がカードの加盟店においてカードを利用すると、図１に示すように、加盟店端末３０からカード決済オンラインネットワークＳＮに送信された当該カードの利用に応じたオーソリデータが、同カード決済オンラインネットワークＳＮを介してカード利用管理サーバ１０に受信される（ステップＳ１（Ｙｅｓ））。（カード利用データ受信手段）
カード利用管理サーバ１０のＣＰＵ１１は、受信されたオーソリデータ（カード番号、利用日時、利用額、支払方法、端末識別番号）１２ｄ５を、記憶部１２の管理データ記憶エリア１２Ｄに記憶させ（ステップＳ２）、後述の固定費／固定費以外仕分け処理を実行する（ステップＳ３）。
【００７６】
また、カード利用管理サーバ１０において、カード利用者がカード利用してから数日後などの一定期間後に、カード決済オンラインネットワークＳＮを介して（例えば国際ブランドであるカード会社のサーバから）カード利用額の確定データが受信されると（ステップＳ４（Ｙｅｓ））（カード利用データ受信手段）、ＣＰＵ１１は、受信されたカード利用額の確定データを、カード利用者のカード番号、利用日時、利用先の名称、利用額（含む支払方法）の各データを含む債権データ１２ｄ６として管理データ記憶エリア１２Ｄに格納する（ステップＳ５）。
【００７７】
そして、受信されたカード利用額の確定データに対応するオーソリデータ１２ｄ５に、無効フラグＯＮ“１”のデータを対応付けて記憶させ、受信されたカード利用額のオーソリデータ１２ｄ５を無効化し（ステップＳ６）、後述の固定費／固定費以外仕分け処理を実行する（ステップＳ３）。
【００７８】
＜固定費／固定費以外仕分け処理＞（図１２）（固定費／固定費以外仕分け手段）
図１２は、カード利用データ格納処理における固定費／固定費以外仕分け処理を示すフローチャートである。
【００７９】
カード利用管理サーバ１０において、管理データ記憶エリア１２Ｄに、ステップＳ１，Ｓ２に従いオーソリデータ１２ｄ５が記憶されるか（図８参照）、またはステップＳ４，Ｓ５に従い債権データ１２ｄ６が記憶されると（図９参照）、ＣＰＵ１１は、オーソリデータ１２ｄ５に含まれる端末識別番号に対応して加盟店データ１２ｄ４から読み出した加盟店の名称（利用先の名称）、または債権データ１２ｄ６に含まれる加盟店の名称（利用先の名称）が、利用者設定データ１２ｄ３に含まれる（利用者設定）固定費以外利用先データ１２ｄ３１（図４参照）に有るか否かを判定する（ステップＳ３１）。
【００８０】
オーソリデータ１２ｄ５または債権データ１２ｄ６の利用先の名称が、（利用者設定）固定費以外利用先データ１２ｄ３１（図４参照）に無いと判定された場合（ステップＳ３１（Ｎｏ））、ＣＰＵ１１は、当該利用先の名称が固定費仕分けデータ１２ｄ１（図３参照）に含まれる加盟店の名称（利用先の名称）に有るか否かを判定する（ステップＳ３２）。
【００８１】
オーソリデータ１２ｄ５または債権データ１２ｄ６の利用先の名称が、固定費仕分けデータ１２ｄ１（図３参照）に含まれる加盟店の名称（利用先の名称）に有ると判定された場合（ステップＳ３２（Ｙｅｓ））、ＣＰＵ１１は更に、利用者設定データ１２ｄ３に含まれる（利用者設定）固定費費目データ１２ｄ３２（図５参照）に有るか否かを判定する（ステップＳ３３）。
【００８２】
オーソリデータ１２ｄ５または債権データ１２ｄ６の利用先の名称が、（利用者設定）固定費費目データ１２ｄ３２（図５参照）に有ると判定された場合（ステップＳ３３（Ｙｅｓ））、ＣＰＵ１１は、当該オーソリデータ１２ｄ５または債権データ１２ｄ６に対応付けて固定費フラグＯＮ“１”のデータを、（利用者設定）固定費費目データ１２ｄ３２（図５参照）にて設定された（費目）のデータと共に記憶させる（ステップＳ３４）。
【００８３】
ステップＳ３３において、オーソリデータ１２ｄ５または債権データ１２ｄ６の利用先の名称が、（利用者設定）固定費費目データ１２ｄ３２（図５参照）に無いと判定された場合（ステップＳ３３（Ｎｏ））、ＣＰＵ１１は、当該オーソリデータ１２ｄ５または債権データ１２ｄ６に対応付けて固定費フラグＯＮ“１”のデータを、固定費仕分けデータ１２ｄ１（図３参照）にて設定されている（費目）のデータと共に記憶させる（ステップＳ３５）。
【００８４】
ステップＳ３２において、オーソリデータ１２ｄ５または債権データ１２ｄ６の利用先の名称が、固定費仕分けデータ１２ｄ１（図３参照）に含まれる加盟店の名称（利用先の名称）に無いと判定された場合（ステップＳ３２（Ｎｏ））、ＣＰＵ１１は更に、利用者設定データ１２ｄ３に含まれる（利用者設定）固定費利用先データ１２ｄ３３（図６参照）に有るか否かを判定する（ステップＳ３６）。
【００８５】
オーソリデータ１２ｄ５または債権データ１２ｄ６の利用先の名称が、（利用者設定）固定費利用先データ１２ｄ３３（図６参照）に有ると判定された場合（ステップＳ３６（Ｙｅｓ））、ＣＰＵ１１は、当該オーソリデータ１２ｄ５または債権データ１２ｄ６に対応付けて固定費フラグＯＮ“１”のデータを、固定費利用先データ１２ｄ３３（図６参照）にて設定された（費目）のデータと共に記憶させる（ステップＳ３７）。
【００８６】
ステップＳ３１において、オーソリデータ１２ｄ５または債権データ１２ｄ６の利用先の名称が、（利用者設定）固定費以外利用先データ１２ｄ３１（図４参照）に有ると判定された場合（ステップＳ３１（Ｙｅｓ））、ＣＰＵ１１は更に、オーソリデータ１２ｄ５または債権データ１２ｄ６の利用先の名称が、利用者設定データ１２ｄ３に含まれる（利用者設定）固定費以外特定利用先データ１２ｄ３４（図７参照）に有るか否かを判定する（ステップＳ３８）。
【００８７】
オーソリデータ１２ｄ５または債権データ１２ｄ６の利用先の名称が、（利用者設定）固定費以外特定利用先データ１２ｄ３４（図７参照）に有ると判定された場合（ステップＳ３８（Ｙｅｓ））、ＣＰＵ１１は、当該オーソリデータ１２ｄ５または債権データ１２ｄ６に対応付けて固定以外特定利用先フラグＯＮ“１”のデータを記憶させる（ステップＳ３９）。
【００８８】
このようなカード利用データ格納処理および固定費／固定費以外仕分け処理により、カード利用毎のオーソリデータ１２ｄ５および債権データ１２ｄ６を、固定費仕分けデータ１２ｄ１に基づき、その利用先に応じた費目別の固定費または固定費以外のデータとして自動仕分けして管理できるだけでなく、固定費仕分けデータ１２ｄ１に有る（加盟店）利用先であっても、（利用者設定）固定費以外利用先データ１２ｄ３１に有る場合は固定費以外のデータとして管理でき、更に、（利用者設定）固定費以外特定利用先データ１２ｄ３４に有る場合は固定費以外特定利用先のデータとして管理できる。
【００８９】
また、固定費仕分けデータ１２ｄ１に無い（加盟店）利用先であっても、（利用者設定）固定費利用先データ１２ｄ３３に有る場合は固定費のデータとして管理できる。
【００９０】
＜ホーム画面生成・表示処理＞（図１３〜図１５）
図１３は、カード利用管理サーバ１０と利用者端末２０との間で連携して実行されるホーム画面生成・表示処理を示すフローチャートである。
【００９１】
図１４は、ホーム画面生成・表示処理に含まれるカード利用管理サーバ１０側でのメイン画面生成用データ取得・送信処理と利用者端末２０側でのメイン画面生成・表示処理とを示すフローチャートである。
【００９２】
図１５は、ホーム画面生成・表示処理に含まれるカード利用管理サーバ１０側での家計画面生成用データ取得・送信処理と利用者端末２０側での家計画面生成・表示処理とを示すフローチャートである。
【００９３】
図１６は、ホーム画面生成・表示処理に従い利用者端末２０に表示されたメイン画面ＧＭおよび家計画面ＧＫの一例を示す図である。
【００９４】
利用者端末２０において、ユーザ（利用者）の操作に応じて、カード利用専用アプリ２２ｐ２が起動されると（ステップＴ１１）、ＣＰＵ２１は、ユーザにより入力された又は既に入力されて記憶されているカード利用者の利用者ＩＤ（識別番号）と、メイン画面ＧＭを要求するデータを、カード利用管理サーバ１０へ送信する（ステップＴ１２）。
【００９５】
カード利用管理サーバ１０において、利用者端末２０から送信されたカード利用者の利用者ＩＤおよびメイン画面ＧＭを要求するデータが受信されると（ステップＳ１１）、ＣＰＵ１１は、ホーム画面生成データ取得アプリ１２ｐ４に従い、利用者端末２０においてメイン画面ＧＭを表示させるのに必要なメイン画面生成用の各種のデータを取得し、当該メイン画面生成用のデータを利用者端末２０へ送信する（ステップＳ１２）。
【００９６】
なお、カード利用管理サーバ１０によるメイン画面生成用データ取得・送信処理（ステップＳ１２）の詳細については後述する。
【００９７】
利用者端末２０において、カード利用管理サーバ１０から送信されたメイン画面生成用のデータが受信されると、ＣＰＵ２１は、受信されたメイン画面生成用のデータに基づいて、図１６（Ａ）に示すようなメイン画面ＧＭを生成し、タッチパネル式表示部２５に表示させる（ステップＴ１３）。
【００９８】
図１６（Ａ）は、今回の支払額（ここでは１０月２７日支払い）を表したメイン画面ＧＭである。
【００９９】
メイン画面ＧＭには、今回の支払額（ここでは２３，０００円）と共に、同支払額を棒グラフにした支払額グラフＰＧ、同支払額に対応する利用明細を表示させるための［明細］ボタンＢＤ、メイン画面ＧＭと家計画面ＧＫ（図１６（Ｂ）（Ｃ）参照）とを切り替えて表示させるための［メイン／家計］ボタンＢＣ、支払額の対象を前回の支払額に切り替えるための［←（前回）］ボタンＢＦ、次回の支払額に切り替えるための［→（次回）］ボタンＢＡが設けられる。
【０１００】
支払額グラフＰＧには、当該支払額グラフＰＧが表わす支払額（２３，０００円）にオーソリデータ１２ｄ５に基づく支払額（ここでは２，５００円）が含まれる場合に、オーソリデータ１２ｄ５に基づく支払額に相当する部分が未確定利用分ＮＴとして識別されて表示される。
【０１０１】
また、支払額グラフＰＧの表示領域には、カード利用者によりカード利用の目安額が設定されている場合に、支払額の大きさに対して目安額がどの程度の位置にあるかを対比して示すための目安額ラインＬＳが目安額マークＭと共に表記される。
【０１０２】
なお、利用者端末２０によるメイン画面生成・表示処理（ステップＴ１３）の詳細については後述する。
【０１０３】
メイン画面ＧＭにおいて、ユーザ（カード利用者）により［メイン／家計］ボタンＢＣがタッチ（押下）されると（ステップＴ１４（Ｙｅｓ））、ＣＰＵ２１は、利用者ＩＤ（識別番号）と、家計画面ＧＫを要求するデータを、カード利用管理サーバ１０へ送信する（ステップＴ１５）。
【０１０４】
カード利用管理サーバ１０において、利用者端末２０から送信されたカード利用者の利用者ＩＤおよび家計画面ＧＭを要求するデータが受信されると（ステップＳ１３）、ＣＰＵ１１は、ホーム画面生成データ取得アプリ１２ｐ４に従い、利用者端末２０において家計画面ＧＫを表示させるのに必要な家計画面生成用の各種のデータを取得し、当該家計画面生成用のデータを利用者端末２０へ送信する（ステップＳ１４）。
【０１０５】
なお、カード利用管理サーバ１０による家計画面生成用データ取得・送信処理（ステップＳ１４）の詳細については後述する。
【０１０６】
利用者端末２０において、カード利用管理サーバ１０から送信された家計画面生成用のデータが受信されると、ＣＰＵ２１は、受信された家計画面生成用のデータに基づいて、図１６（Ｂ）または図１６（Ｃ）に示すような家計画面ＧＫを生成し、タッチパネル式表示部２５に表示させる（ステップＴ１６）。
【０１０７】
図１６（Ｂ）は、今回の支払額（ここでは１０月２７日支払い）を固定費支払額Ｘ（Ｐ）と固定費以外支払額Ｈ（Ｙ）とで区別して表した家計画面ＧＫであって、図１６（Ｃ）は、固定費以外支払額Ｈ（Ｙ）に、固定費以外特定利用先支払額Ｔ（Ｂ）が含まれる場合の家計画面ＧＫである。
【０１０８】
すなわち、家計画面ＧＫには、今回の支払額（ここでは２３，０００円）と共に、同支払額を棒グラフにした支払額グラフＰＧが設けられるが、当該家計画面ＧＫの支払額グラフＰＧには、固定費として仕分けされた部分（固定費支払額）Ｘが紫色（Ｐ）に、固定費以外として仕分けされた部分（固定費以外支払額）Ｈが黄色（Ｙ）に、固定費以外支払額Ｈのうち利用者により設定された特定のカード利用先への支払として仕分けされた部分（固定費以外特定利用先支払額）Ｔが青色（Ｂ）に、それぞれ区別されて表示される。
【０１０９】
そして、家計画面ＧＫには、固定費支払額Ｘに対応する利用明細を表示させるための［固定費］ボタンＢＸが、紫色マークＭＲ（Ｐ）と固定費支払額（ここでは８，０００円）を含んで表示され、固定費以外支払額Ｈに対応する利用明細を表示させるための［固定費以外］ボタンＢＨが、黄色マークＭＲ（Ｙ）と固定費以外支払額（ここでは１５，０００円）を含んで表示される。
【０１１０】
図１６（Ｃ）の家計画面ＧＫに示すように、固定費以外支払額Ｈ（Ｙ）に、固定費以外特定利用先支払額Ｔ（Ｂ）が含まれる場合の［固定費以外］ボタンＢＨには、固定費以外特定利用先支払額Ｔに対応する小型の青色マークｍｒ（Ｂ）と固定費以外特定利用先支払額（ここでは５，５００円）も付加されて表示される。
【０１１１】
なお、利用者端末２０による家計画面生成・表示処理（ステップＴ１６）の詳細については後述する。
【０１１２】
家計画面ＧＫにおいて、ユーザ（カード利用者）により［メイン／家計］ボタンＢＣがタッチ（押下）されると（ステップＴ１７（Ｙｅｓ））、ＣＰＵ２１は、ステップＴ１２の処理に戻り、利用者ＩＤ（識別番号）と、メイン画面ＧＭを要求するデータを、カード利用管理サーバ１０へ送信する。
【０１１３】
利用者端末２０に、メイン画面ＧＭまたは家計画面ＧＫが表示された状態で、当該画面を閉じるための操作が行われると（ステップＴ１８（Ｙｅｓ））、ＣＰＵ２１は、一連のホーム画面生成・表示処理を終了する。
【０１１４】
＜カード利用管理サーバ１０：メイン画面生成用データ取得・送信処理＞（図１４）
利用者端末２０のカード利用専用アプリ２２ｐ２が起動され、当該カード利用者の利用者ＩＤおよびメイン画面ＧＭを要求するデータがカード利用管理サーバ１０に受信されることに応じて、カード利用管理サーバ１０において、メイン画面生成用データ取得・送信処理が起動されると（ステップＳ１２）、ＣＰＵ１１は、受信された利用者ＩＤに基づいて利用者データ１２ｄ２に含まれるカード番号を読み出し、読み出したカード番号に対応付けられたオーソリデータ１２ｄ５が記憶されているか否かを判定する（ステップＳ１２１）。
【０１１５】
利用者端末２０から受信された利用者ＩＤに対応するカード番号のオーソリデータ１２ｄ５が記憶されていると判定されると（ステップＳ１２１（Ｙｅｓ））、ＣＰＵ１１は、当該カード番号のオーソリデータ１２ｄ５を読み出して取得し（ステップＳ１２２）、また、同カード番号に対応付けられた債権データ１２ｄ６を読み出して取得する（ステップＳ１２３）。
【０１１６】
なお、利用者端末２０から受信された利用者ＩＤに対応するカード番号のオーソリデータ１２ｄ５が記憶されていない場合は（ステップＳ１２１（Ｎｏ））、同カード番号に対応付けられた債権データ１２ｄ６だけを読み出して取得する（ステップＳ１２３）。
【０１１７】
ＣＰＵ１１は、支払額算出アプリ１２ｐ３を起動させ、ステップＳ１２１〜Ｓ１２３にて取得されたカード番号に対応するオーソリデータ１２ｄ５、債権データ１２ｄ６、および予め記憶された利用期間データ１２ｄ７に基づいて、該当するカード利用者の所定の利用期間毎の支払額を算出し、支払額データ１２ｄ８として記憶させる（ステップＳ１２４）。
【０１１８】
ＣＰＵ１１は、算出された所定の利用期間毎の支払額にオーソリデータ１２ｄ５に基づく支払額が含まれるか否かを判定し（ステップＳ１２５）、オーソリデータ１２ｄ５に基づく支払額が含まれると判定した場合には、算出された所定の利用期間毎の支払額とオーソリデータ１２ｄ５に基づく支払額とを、メイン画面生成用データとして利用者端末２０へ送信し（ステップＳ１２５（Ｙｅｓ）→Ｓ１２６）、オーソリデータ１２ｄ５に基づく支払額が含まれないと判定した場合には、算出された所定の利用期間毎の支払額を、メイン画面生成用データとして利用者端末２０へ送信する（ステップＳ１２５（Ｎｏ）→Ｓ１２７）。
【０１１９】
またＣＰＵ１１は、利用者端末２０から受信された利用者ＩＤのカード番号に対応付けられた利用者設定データ１２ｄ３に基づいて、該当カード利用者による目安額の設定があるか否かを判定し、目安額の設定があると判定した場合、当該利用者設定データ１２ｄ３の目安額を読み出してメイン画面生成用データとして利用者端末２０へ送信する（ステップＳ１２８（Ｙｅｓ）→Ｓ１２９）。
【０１２０】
＜利用者端末２０：メイン画面生成・表示処理＞（図１４）
利用者端末２０において、カード利用管理サーバ１０から送信されたメイン画面生成用データが受信されると（ステップＴ１３１）、ＣＰＵ２１は、当該メイン画面生成用データに目安額が含まれるか否かを判定する（ステップＴ１３２）。
【０１２１】
メイン画面生成用データに目安額が含まれると判定された場合には（ステップＴ１３２（Ｙｅｓ））、ＣＰＵ２１は、図１６（Ａ）に示すように、同メイン画面生成用データに含まれる所定の利用期間毎の支払額に対応する支払額グラフＰＧと目安額に対応する目安額ラインＬＳおよび目安額マークＭとを対比して示すイメージ画像と共に、［メイン／家計］ボタンＢＣおよび［明細］ボタンＢＤを付加したメイン画面ＧＭを生成する（ステップＴ１３３）。
【０１２２】
また、メイン画面生成用データに目安額が含まれないと判定された場合には（ステップＴ１３２（Ｎｏ））、ＣＰＵ２１は、同メイン画面生成用データに含まれる所定の利用期間毎の支払額に対応する支払額グラフＰＧを示すイメージ画像と共に、［メイン／家計］ボタンＢＣおよび［明細］ボタンＢＤを付加したメイン画面ＧＭを生成する（ステップＴ１３４）。
【０１２３】
また、ＣＰＵ２１は、受信されたメイン画面生成用データにオーソリデータ１２ｄ５に基づく支払額が含まれるか否かを判定し（ステップＴ１３５）、オーソリデータ１２ｄ５に基づく支払額が含まれると判定した場合には（ステップＴ１３５（Ｙｅｓ））、生成されている所定の利用期間毎のメイン画面ＧＭに含まれる支払額グラフＰＧのイメージ画像のうち、オーソリデータ１２ｄ５に基づく支払額に相当する部分を、例えば、斜線を付加することで未確定利用分ＮＴとして識別加工する（ステップＴ１３６）。
【０１２４】
そして、生成されている所定の利用期間毎のメイン画面ＧＭには、支払額グラフＰＧの例えば右横に支払額の数字（ここでは２３，０００円）、［メイン／家計］ボタンＢＣおよび［明細］ボタンＢＤを付加し、図１６（Ａ）に示すように、生成されたメイン画面ＧＭをタッチパネル式表示部２５に表示させる（ステップＴ１３７）。
【０１２５】
なお、図１６（Ａ）は「今回のお支払い予定額」として示すメイン画面ＧＭであるが、「前回の支払い額」を示すメイン画面ＧＭは［←（前回）］ボタンＢＦを操作することで、例えば右方向にスクロールされて表示され、また、「次回の支払い額」を示すメイン画面ＧＭは［→（次回）］ボタンＢＡを操作することで、例えば左方向にスクロールされて表示される。
【０１２６】
このように、利用者端末２０に表示されるメイン画面ＧＭには、所定のカード利用期間毎のカード利用の支払額（オーソリデータがある場合には当該オーソリデータに基づく支払額を含む支払額）が、数字と支払額グラフＰＧにより分かり易く表示される。
【０１２７】
また、メイン画面ＧＭの支払額グラフＰＧには、当該支払額グラフＰＧが示す支払額のうち、加盟店端末３０から受信されたオーソリデータに基づく支払額が含まれている場合に、当該オーソリデータ１２ｄ５に基づく支払額に相当する部分が未確定利用分ＮＴとして識別されて表示されるので、カード利用者は、カード利用の未確定の利用分を、カード利用額の確定を待たずに、直ちに確認できる。
【０１２８】
＜カード利用管理サーバ１０：家計画面生成用データ取得・送信処理＞（図１５）（支払額送信手段）
利用者端末２０のカード利用専用アプリ２２ｐ２が起動され、当該カード利用者の利用者ＩＤおよび家計画面ＧＫを要求するデータがカード利用管理サーバ１０に受信されることに応じて、カード利用管理サーバ１０において、家計画面生成用データ取得・送信処理が起動されると（ステップＳ１４）、ＣＰＵ１１は、受信された利用者ＩＤに基づいて利用者データ１２ｄ２に含まれるカード番号を読み出し、読み出したカード番号に対応付けられたオーソリデータ１２ｄ５が記憶されているか否かを判定する（ステップＳ１４１）。
【０１２９】
利用者端末２０から受信された利用者ＩＤに対応するカード番号のオーソリデータ１２ｄ５が記憶されていると判定されると（ステップＳ１４１（Ｙｅｓ））、ＣＰＵ１１は、当該カード番号のオーソリデータ１２ｄ５を読み出して取得し（ステップＳ１４２）、また、同カード番号に対応付けられた債権データ１２ｄ６を読み出して取得する（ステップＳ１４３）。
【０１３０】
なお、利用者端末２０から受信された利用者ＩＤに対応するカード番号のオーソリデータ１２ｄ５が記憶されていない場合は（ステップＳ１４１（Ｎｏ））、同カード番号に対応付けられた債権データ１２ｄ６だけを読み出して取得する（ステップＳ１４３）。
【０１３１】
ＣＰＵ１１は、支払額算出アプリ１２ｐ３を起動させ、ステップＳ１４１〜Ｓ１４３にて取得されたカード番号に対応するオーソリデータ１２ｄ５とその固定費フラグまたは固定費以外特定利用先フラグ（図８参照）、債権データ１２ｄ６とその固定費フラグまたは固定費以外特定利用先フラグ（図９参照）、および予め記憶された利用期間データ１２ｄ７に基づいて、該当するカード利用者の所定の利用期間毎の支払額／固定費支払額／固定費以外支払額／固定費以外特定利用先支払額を算出し、支払額データ１２ｄ８として記憶させる（ステップＳ１４４）。
【０１３２】
ＣＰＵ１１は、算出された所定の利用期間毎の支払額にオーソリデータ１２ｄ５に基づく支払額が含まれるか否かを判定し（ステップＳ１４５）、オーソリデータ１２ｄ５に基づく支払額が含まれると判定した場合には、算出された所定の利用期間毎の各支払額（支払額／固定費支払額／固定費以外支払額／固定費以外特定利用先支払額）とオーソリデータ１２ｄ５に基づく支払額とを、家計画面生成用データとして利用者端末２０へ送信し（ステップＳ１４５（Ｙｅｓ）→Ｓ１４６）、オーソリデータ１２ｄ５に基づく支払額が含まれないと判定した場合には、算出された所定の利用期間毎の各支払額を、家計画面生成用データとして利用者端末２０へ送信する（ステップＳ１４５（Ｎｏ）→Ｓ１４７）。
【０１３３】
またＣＰＵ１１は、利用者端末２０から受信された利用者ＩＤのカード番号に対応付けられた利用者設定データ１２ｄ３に基づいて、該当カード利用者による目安額の設定があるか否かを判定し、目安額の設定があると判定した場合、当該利用者設定データ１２ｄ３の目安額を読み出して家計画面生成用データとして利用者端末２０へ送信する（ステップＳ１４８（Ｙｅｓ）→Ｓ１４９）。
【０１３４】
＜利用者端末２０：家計画面生成・表示処理＞（図１５）
利用者端末２０において、カード利用管理サーバ１０から送信された家計画面生成用データが受信されると（ステップＴ１６１）、ＣＰＵ２１は、当該家計画面生成用データに目安額が含まれるか否かを判定する（ステップＴ１６２）。
【０１３５】
家計画面生成用データに目安額が含まれると判定された場合には（ステップＴ１６２（Ｙｅｓ））、ＣＰＵ２１は、図１６（Ｂ）または図１６（Ｃ）に示すように、同家計画面生成用データに含まれる所定の利用期間毎の各支払額に基づいて、固定費支払額Ｘ（Ｐ）と固定費以外支払額Ｈ（Ｙ）と固定費以外特定利用先支払額Ｔ（Ｂ）とを区別した支払額グラフＰＧと、目安額に対応する目安額ラインＬＳおよび目安額マークＭとを対比して示すイメージ画像と共に、［メイン／家計］ボタンＢＣ、［固定費］ボタンＢＸおよび［固定費以外］ボタンＢＨを付加した家計画面ＧＫを生成する（ステップＴ１６３）。
【０１３６】
また、家計画面生成用データに目安額が含まれないと判定された場合には（ステップＴ１６２（Ｎｏ））、ＣＰＵ２１は、同家計画面生成用データに含まれる所定の利用期間毎の各支払額に基づいて、固定費支払額Ｘ（Ｐ）と固定費以外支払額Ｈ（Ｙ）と固定費以外特定利用先支払額Ｔ（Ｂ）とを区別した支払額グラフＰＧを示すイメージ画像と共に、［メイン／家計］ボタンＢＣ、［固定費］ボタンＢＸおよび［固定費以外］ボタンＢＨを付加した家計画面ＧＫを生成する（ステップＴ１６４）。
【０１３７】
そして、生成されている所定の利用期間毎の家計画面ＧＫには、支払額グラフＰＧの例えば右横に支払額の数字（ここでは２３，０００円）、［メイン／家計］ボタンＢＣ、固定費支払額（ここでは８，０００円）を付加した［固定費］ボタンＢＸおよび固定費以外支払額（ここでは１５，０００円）（または固定費以外支払額（１５，０００円）とそのうちの固定費以外特定利用先支払額（５，５００円））を付加した［固定費以外］ボタンＢＨを付加し、図１６（Ｂ）または図１６（Ｃ）に示すように、生成された家計画面ＧＫをタッチパネル式表示部２５に表示させる（ステップＴ１６５）。
【０１３８】
なお、図１６（Ｂ）（Ｃ）は「今回のお支払い予定額」として示す家計画面ＧＫであるが、「前回の支払い額」を示す家計画面ＧＫは［←（前回）］ボタンＢＦを操作することで、例えば右方向にスクロールされて表示され、また、「次回の支払い額」を示す家計画面ＧＫは［→（次回）］ボタンＢＡを操作することで、例えば左方向にスクロールされて表示される。
【０１３９】
このように、利用者端末２０に表示される家計画面ＧＫには、所定のカード利用期間毎のカード利用の支払額（オーソリデータがある場合には当該オーソリデータに基づく支払額を含む支払額）が、数字と支払額グラフＰＧにより分かり易く表示されるだけでなく、支払額グラフＰＧに含まれる固定費支払額Ｘ（Ｐ）と固定費以外支払額Ｈ（Ｙ）と固定費以外特定利用先支払額Ｔ（Ｂ）とが区別されて表示される。
【０１４０】
これにより、カード利用者は、カード利用による支出のうち、固定費と固定費以外の支出の割合がどの程度であるかを容易に確認できるだけなく、固定費以外の支出うち、利用者が任意に設定した特定のカード利用先の支出の割合がどの程度であるかも容易に確認でき、適切に家計管理することができる。
【０１４１】
＜固定費利用明細表示処理＞（図１７）
図１７は、カード利用管理サーバ１０と利用者端末２０との間で連携して実行される固定費利用明細表示処理を示すフローチャートである。
【０１４２】
図１８は、固定費利用明細表示処理に従い利用者端末２０に表示される固定費利用明細画面ＧＸの固定費リストの形式を示す図である。
【０１４３】
固定費利用明細画面ＧＸは、家計画面生成・表示処理（図１５）に従い表示される家計画面ＧＫ（図１６（Ｂ）（Ｃ）参照）にて固定費支払額Ｘを表す紫色（Ｐ）を背景色とし、固定費支払額（合計）の項目と、固定費仕分けデータ１２ｄ１（図３参照）に設定された複数種類の費目に対応する項目（電気ｈ１／ガスｈ２／水道ｈ３／携帯電話ｈ４／固定電話ｈ５／…／その他ｈ１７）とを一覧にして構成される。各費目に対応する項目（電気ｈ１／ガスｈ２／水道ｈ３／携帯電話ｈ４／固定電話ｈ５／…／その他ｈ１７）の一覧は、当該画面ＧＸ（２５）をタッチして上下方向にスライドさせることでスクロールされて表示される。
【０１４４】
図１９は、固定費利用明細表示処理に従い利用者端末２０に表示された固定費利用明細画面ＧＸの一例を示す図である。
【０１４５】
利用者端末２０において、例えば、図１６（Ｂ）（Ｃ）で示したように家計画面ＧＫに設けられた［固定費］ボタンＢＸが、ユーザによってタッチ（押下）されると（ステップＴ２１）、ＣＰＵ２１は、固定費利用明細を要求するデータを利用者ＩＤと共にカード利用管理サーバ１０へ送信する（ステップＴ２２）。
【０１４６】
カード利用管理サーバ１０において、利用者端末２０から送信された利用者ＩＤおよび固定費利用明細を要求するデータが受信されると（ステップＳ２１）、ＣＰＵ１１は、受信された利用者ＩＤに基づいて利用者データ１２ｄ２に含まれるカード番号を読み出し、読み出したカード番号に対応付けられたオーソリデータ１２ｄ５（図８参照）で固定費フラグＯＮ“１”のデータが記憶されているか否かを判定する（ステップＳ２２）。
【０１４７】
固定費フラグＯＮ“１”のオーソリデータ１２ｄ５が記憶されていると判定されると（ステップＳ２２（Ｙｅｓ））、ＣＰＵ１１は、当該固定費フラグＯＮのオーソリデータ１２ｄ５を読み出して取得し（ステップＳ２３）、また、同カード番号に対応付けられた債権データ１２ｄ６（図９参照）で固定費フラグＯＮ“１”のデータを読み出して取得する（ステップＳ２４）。
【０１４８】
なお、利用者ＩＤに対応するカード番号のオーソリデータ１２ｄ５で固定費フラグＯＮのデータが記憶されていない場合は（ステップＳ２２（Ｎｏ））、同カード番号に対応付けられた固定費フラグＯＮの債権データ１２ｄ６だけを読み出して取得する（ステップＳ２４）。
【０１４９】
図８に示すオーソリデータ１２ｄ５と図９に示す債権データ１２ｄ６の例では、固定費フラグＯＮのオーソリデータ１２ｄ５は無く、固定費フラグＯＮの債権データ１２ｄ６（2019.09.20：ＴＫＯ電力：３，０００円：１回／2019.09.15：ＴＫＯ水道局：２，０００円：１回／2019.09.10：ＰＱ mobile：３，０００円：１回）が読み出されて取得される。
【０１５０】
ＣＰＵ１１は、支払額算出アプリ１２ｐ３を起動させ、ステップＳ２２〜Ｓ２４にて取得されたカード番号に対応する固定費フラグＯＮのオーソリデータ１２ｄ５、固定費フラグＯＮの債権データ１２ｄ６、および予め記憶された利用期間データ１２ｄ６に基づいて、該当するカード利用者の所定の利用期間の固定費支払額を算出し、支払額データ１２ｄ８として記憶させる（ステップＳ２５）。
【０１５１】
そして、固定費フラグＯＮのオーソリデータ１２ｄ５が有る場合は、当該オーソリデータ１２ｄ５に含まれる「利用日」「利用額」と共に、「端末識別番号」に基づき加盟店データ１２ｄ４から読み出した「加盟店名称（利用先名称）」および固定費の費目を加えた固定費利用明細データを生成し、未確定のカード利用分であることを示す未確定利用情報を付加する（ステップＳ２６）。
【０１５２】
ＣＰＵ１１は、未確定利用情報を付加した固定費フラグＯＮのオーソリデータ１２ｄ５に対応する利用額の固定費利用明細データ「利用日、利用額、加盟店名称（利用先名称）、費目」（固定費フラグＯＮのオーソリデータ１２ｄ５が有る場合）、固定費フラグＯＮの債権データ１２ｄ６に対応する利用額毎の固定費利用明細データ「利用日、利用額、加盟店名称（利用先名称）、費目」および算出された利用期間の固定費支払額のデータを、利用者ＩＤに基づいて、固定費利用明細データの要求元である利用者端末２０へ送信する（ステップＳ２６，Ｓ２７）。（固定費利用明細送信手段）
利用者端末２０において、カード利用管理サーバ１０から送信されたカード利用毎の固定費利用明細データおよび所定の利用期間の固定費支払額のデータが受信されると（ステップＴ２３（Ｙｅｓ））、ＣＰＵ２１は、図１９（Ａ）に示すように、受信されたカード利用毎の費目別の固定費利用明細データ［2019.09.20：ＴＫＯ電力：３，０００円］ＸＤ１，［2019.09.15：ＴＫＯ水道局：２，０００円］ＸＤ３，［2019.09.10：ＰＱ mobile：３，０００円］ＸＤ４の一覧と該当する利用期間（ここでは１０月２７日支払い分）の固定費支払額［８，０００円］を含めた固定費利用明細画面ＧＸ（Ｐ）を生成し（ステップＴ２４）、タッチパネル式表示部２５に表示させる（ステップＴ２５）。
【０１５３】
なお、未確定利用情報の付加されたオーソリデータ１２ｄ５に対応する固定費利用明細データＸＤｎが有る場合、ＣＰＵ２１は、未確定のカード利用であることを報知する未確定メッセージ（ＮＴｍ：図２６参照）を付加して識別可能にした固定費利用明細画面ＧＸ（Ｐ）を生成して表示させる（ステップＴ２４，Ｔ２５）。
【０１５４】
固定費フラグＯＮのオーソリデータ１２ｄ５および債権データ１２ｄ６において、同一の費目で複数の加盟店名称（利用先名称）に対応する利用額が有る場合、例えば、図１９（Ｂ）の固定費利用明細画面ＧＸに示すように、複数の加盟店名称（利用先名称）に対応する利用額が含まれる費目の項目（電気ｈ１／ガスｈ２／携帯電話ｈ４）に［↓（開く）］ボタンＢｐを設ける。
【０１５５】
そして、［↓（開く）］ボタンＢｐを操作することで、図１９（Ｃ）に示すように、同一の費目（例えば、電気ｈ１）に含まれる複数の加盟店名称（利用先名称）の固定費利用明細データ［ＴＫＯ電力：５，０００円］ＸＤ１ａ，［ＫＮＳ電力：５，０００円］ＸＤ１ｂを開いて表示させ、これとは逆に［↑（閉じる）］ボタンＢｃを操作することで、図１９（Ｂ）で示したように、同一の費目（例えば、電気ｈ１）に含まれる複数の加盟店名称（利用先名称）の固定費利用明細データＸＤ１ａ，ＸＤ１ｂを閉じて表示させる構成としてもよい。
【０１５６】
このように、利用者端末２０に表示させる固定費利用明細画面ＧＸには、カード利用管理サーバ１０にて費目別の固定費として自動仕分けされたか、または利用者設定により費目別の固定費として仕分けされたカード加盟店（カード利用先）毎の固定費利用明細データＸＤ１，ＸＤ２，…の一覧が表示されるので、カード利用者は、カード利用額に含まれる固定費としてのカード加盟店（カード利用先）の支払額を容易に区別して確認することができ、適切に家計管理に役立てることができる。
【０１５７】
＜固定費設定変更処理＞（図２０・図２１）
図２０は、カード利用管理サーバ１０と利用者端末２０との間で連携して実行される固定費設定変更処理のうち利用者端末２０側での処理を示すフローチャートである。
【０１５８】
図２１は、カード利用管理サーバ１０と利用者端末２０との間で連携して実行される固定費設定変更処理のうちカード利用管理サーバ１０側での処理を示すフローチャートである。
【０１５９】
図２２は、固定費設定変更処理に従った利用者端末２０での画面遷移の一例（その１）を示す図である。
【０１６０】
図２３は、固定費設定変更処理に従った利用者端末２０での画面遷移の一例（その２）を示す図である。
【０１６１】
利用者端末２０において、図２２（Ａ）に示すように、固定費利用明細画面ＧＸがタッチパネル式表示部２５に表示された状態で、固定費として設定されているカード利用先（ここでは電力ｈ１の費目に属するＴＫＯ電力）を、固定費の別の費目に設定変更するか、または固定費以外に設定変更したい場合、設定変更の対象となるＴＫＯ電力の固定費利用明細データＸＤ１の項目をタッチ（指定）して左スワイプすると（ステップＴ３１（Ｙｅｓ））、ＣＰＵ２１は、図２２（Ｂ）に示すように、指定されたＴＫＯ電力の固定費利用明細データＸＤ１の項目に、［別の固定費にする］ボタンＢＭＸを、固定費を表す紫色（Ｐ）で表示させると共に、［固定費にしない］ボタンＢＮＸを、固定費以外を表す黄色（Ｙ）で表示させる（ステップＴ３２）。
【０１６２】
ここで、［固定費にしない］ボタンＢＮＸ（Ｙ）がタッチ（押下）されると（ステップＴ３３［固定費にしない］）、ＣＰＵ２１は、図２２（Ｃ）に示すように、固定費利用明細画面ＧＸ上に固定費以外利用明細への移動確認ウインドウＷｈを表示させる（ステップＴ３４）。
【０１６３】
移動確認ウインドウＷｈの［キャンセル］ボタンＣａがタッチ（押下）されると（ステップＴ３５（Ｎｏ））、ＣＰＵ２１は、当該ウインドウＷｈを消去し（ステップＴ３５ｅ）、図２２（Ｂ）で示した、［別の固定費にする］ボタンＢＭＸおよび［固定費にしない］ボタンＢＮＸを表示させた状態に戻る（ステップＴ３３）。
【０１６４】
移動確認ウインドウＷｈの［はい］ボタンＹｅがタッチ（押下）されると（ステップＴ３５（Ｙｅｓ））、ＣＰＵ２１は、指定されたカード利用先（ここではＴＫＯ電力）を固定費以外とする移動要求のデータをカード利用管理サーバ１０へ送信し（ステップＴ３６）、図２２（Ａ）で示した固定費利用明細画面ＧＸの表示に戻る。
【０１６５】
図２２（Ｂ）で示した、ＴＫＯ電力の固定費利用明細データＸＤ１の項目に、［別の固定費にする］ボタンＢＭＸおよび［固定費にしない］ボタンＢＮＸを表示させた状態で、［別の固定費にする］ボタンＢＭＸ（Ｐ）がタッチ（押下）されると（ステップＴ３３［別の固定費にする］）、ＣＰＵ２１は、図２３（Ａ）（Ｂ）に示すように、固定費利用明細画面ＧＸ上に固定費の費目を選択する費目選択ウインドウＷｓｈを表示させる（ステップＴ３７）。
【０１６６】
費目選択ウインドウＷｓｈの［キャンセル］ボタンＣａがタッチ（押下）されると（ステップＴ３８（Ｎｏ））、ＣＰＵ２１は、当該ウインドウＷｓｈを消去し（ステップＴ３８ｅ）、図２２（Ｂ）で示した、［別の固定費にする］ボタンＢＭＸおよび［固定費にしない］ボタンＢＮＸを表示させた状態に戻る（ステップＴ３３）。
【０１６７】
費目選択ウインドウＷｓｈの費目（ここでは「その他ｈ１７」）がタッチ（選択）され、［移動する］ボタンＭｏがタッチ（押下）されると（ステップＴ３８（Ｙｅｓ））、ＣＰＵ２１は、指定されたカード利用先（ここではＴＫＯ電力）を固定費の選択された費目（その他ｈ１７）とする移動要求のデータをカード利用管理サーバ１０へ送信し（ステップＴ３９）、図２２（Ａ）で示した固定費利用明細画面ＧＸの表示に戻る。
【０１６８】
カード利用管理サーバ１０において、利用者端末２０のステップＴ３６の処理に従い送信された、指定のカード利用先（ここではＴＫＯ電力）を固定費以外とする移動要求のデータが受信されると（ステップＳ４１（Ｙｅｓ））（固定費以外変更要求受信手段）、ＣＰＵ１１は、当該指定のカード利用先「ＴＫＯ電力」が利用者設定データ１２ｄ３の（利用者設定）固定費利用先データ１２ｄ３３（図６参照）にあるか否かを判定する（ステップＳ４２）。
【０１６９】
固定費以外として移動要求された指定のカード利用先が（利用者設定）固定費利用先データ１２ｄ３３（図６参照）にあると判定された場合（ステップＳ４２（Ｙｅｓ））、ＣＰＵ１１は、当該（利用者設定）固定費利用先データ１２ｄ３３にあるカード利用先を消去し（ステップＳ４２ｅ）、当該指定のカード利用先を利用者設定データ１２ｄ３の（利用者設定）固定費以外利用先データ１２ｄ３１（図４参照）として記憶させる（ステップＳ４３）。（固定費設定変更手段）
ここでは、固定費以外として移動要求された指定のカード利用先「ＴＫＯ電力」は（利用者設定）固定費利用先データ１２ｄ３３（図６参照）にないと判定されるので（ステップＳ４２（Ｎｏ））、ＣＰＵ１１は、当該指定のカード利用先「ＴＫＯ電力」を（利用者設定）固定費以外利用先データ１２ｄ３１（図４参照）として記憶させる（ステップＳ４３）。
【０１７０】
そして、ＣＰＵ１１は、オーソリデータ１２ｄ５（図８参照）および債権データ１２ｄ６（図９参照）にある指定のカード利用先（利用先名称）に対応付けられた固定費フラグ“１”とその（費目）を消去する（ステップＳ４４）。
【０１７１】
これにより、これまで固定費として仕分けされて管理されていたカード利用先（ここでは「ＴＫＯ電力」）を、カード利用者の操作に応じて、（利用者設定）固定費以外利用先データ１２ｄ３１（図４参照）に設定変更して管理できるようになる。
【０１７２】
カード利用管理サーバ１０において、利用者端末２０のステップＴ３９の処理に従い送信された、指定のカード利用先（ここではＴＫＯ電力）を固定費の選択された費目「その他」ｈ１７とする移動要求のデータが受信されると（ステップＳ４５（Ｙｅｓ））、ＣＰＵ１１は、当該指定のカード利用先「ＴＫＯ電力」とその費目が利用者設定データ１２ｄ３の（利用者設定）固定費費目データ１２ｄ３２（図５参照）にあるか否かを判定する（ステップＳ４６）。
【０１７３】
ここで、費目を設定変更したい指定のカード利用先「ＴＫＯ電力」と費目が、（利用者設定）固定費費目データ１２ｄ３２（図５参照）に無いと判定された場合（ステップＳ４６（Ｎｏ））、ＣＰＵ１１は、当該指定のカード利用先「ＴＫＯ電力」と選択された費目「その他」ｈ１７を、当該（利用者設定）固定費費目データ１２ｄ３２として記憶させる（ステップＳ４７）。
【０１７４】
また、費目を設定変更したい指定のカード利用先「ＴＫＯ電力」と費目が、（利用者設定）固定費費目データ１２ｄ３２（図５参照）に有ると判定された場合（ステップＳ４６（Ｙｅｓ））、ＣＰＵ１１は、当該（利用者設定）固定費費目データ１２ｄ３２に有る指定のカード利用先「ＴＫＯ電力」の費目を、選択された費目「その他」ｈ１７に変更して記憶させる（ステップＳ４６ｃ）。
【０１７５】
そして、ＣＰＵ１１は、オーソリデータ１２ｄ５（図８参照）および債権データ１２ｄ６（図９参照）にある指定のカード利用先（利用先名称）「ＴＫＯ電力」に対応付けられた固定費フラグＯＮ“１”の（費目）を、選択された費目「その他」ｈ１７に変更する（ステップＳ４８）。
【０１７６】
これにより、これまでは図２２（Ａ）の固定費利用明細画面ＧＸの固定費利用明細データＸＤ１に示すように、固定費の「電力」ｈ１の費目に仕分けされて管理されていたカード利用先「ＴＫＯ電力」の当該費目「電力」ｈ１を、カード利用者の操作に応じて、図２４（Ａ）の固定費利用明細画面ＧＸの固定費利用明細データＸＤ１７ａに示すように、選択された費目「その他」ｈ１７に設定変更して管理できるようになる。
【０１７７】
図２４は、固定費設定変更処理（図２０・図２１）に従い固定費として仕分けされているカード利用先「ＴＫＯ電力」の費目を「その他」ｈ１７に設定変更した場合の固定費利用明細画面ＧＸの例と、固定費以外設定変更処理（図２７・図２８）に従い固定費以外に仕分けされているカード利用先「ＫＮＭスポーツクラブ」を固定費に設定変更した場合の固定費利用明細画面ＧＸの例とを示す図である。
【０１７８】
＜固定費以外利用明細表示処理＞（図２５）
図２５は、カード利用管理サーバ１０と利用者端末２０との間で連携して実行される固定費以外利用明細表示処理を示すフローチャートである。
【０１７９】
図２６は、固定費以外利用明細表示処理に従い利用者端末２０に表示された固定費以外利用明細画面ＧＨの一例を示す図である。
【０１８０】
固定費以外利用明細画面ＧＨは、家計画面生成・表示処理（図１５）に従い表示される家計画面ＧＫ（図１６（Ｂ）（Ｃ）参照）にて固定費以外支払額Ｈを表す黄色（Ｙ）を背景色として構成する。
【０１８１】
利用者端末２０において、例えば、図１６（Ｂ）（Ｃ）で示したように家計画面ＧＫに設けられた［固定費以外］ボタンＢＨが、ユーザによってタッチ（押下）されると（ステップＴ４１）、ＣＰＵ２１は、固定費以外利用明細を要求するデータを利用者ＩＤと共にカード利用管理サーバ１０へ送信する（ステップＴ４２）。
【０１８２】
カード利用管理サーバ１０において、利用者端末２０から送信された利用者ＩＤおよび固定費以外利用明細を要求するデータが受信されると（ステップＳ５１）、ＣＰＵ１１は、受信された利用者ＩＤに基づいて利用者データ１２ｄ２に含まれるカード番号を読み出し、読み出したカード番号に対応付けられたオーソリデータ１２ｄ５（図８参照）で固定費フラグＯＦＦのデータ（固定費以外特定利用先フラグＯＮ／ＯＦＦ何れも含む）が記憶されているか否かを判定する（ステップＳ５２）。
【０１８３】
固定費フラグＯＦＦのオーソリデータ１２ｄ５が記憶されていると判定されると（ステップＳ５２（Ｙｅｓ））、ＣＰＵ１１は、当該固定費フラグＯＦＦのオーソリデータ１２ｄ５を読み出して取得し（ステップＳ５３）、また、同カード番号に対応付けられた債権データ１２ｄ６（図９参照）で固定費フラグＯＦＦのデータ（固定費以外特定利用先フラグＯＮ／ＯＦＦ何れも含む）を読み出して取得する（ステップＳ５４）。
【０１８４】
なお、利用者ＩＤに対応するカード番号のオーソリデータ１２ｄ５で固定費フラグＯＦＦのデータが記憶されていない場合は（ステップＳ５２（Ｎｏ））、同カード番号に対応付けられた固定費フラグＯＦＦの債権データ１２ｄ６だけを読み出して取得する（ステップＳ５４）。
【０１８５】
図８に示すオーソリデータ１２ｄ５と図９に示す債権データ１２ｄ６の例では、固定費フラグＯＦＦのオーソリデータ１２ｄ５（2019.09.27：スーパーＳキチジョウジテン：２，５００円：１回）と、固定費フラグＯＦＦの債権データ１２ｄ６（2019.09.25：コーヒーＢナカノテン：９００円：１回／2019.09.23：コーヒーＢナカノテン：６００円：１回／2019.09.15：ＫＮＭスポーツクラブ：８，０００円：１回／2019.09.08：コンビニＦキチジョウジテン：８００円：１回／…／2019.09.03：コンビニＦキチジョウジテン：５００円：１回）が読み出されて取得される。
【０１８６】
なおこの時点で、図８に示す端末識別番号“２３４５６”（スーパーＳキチジョウジテンに対応）のオーソリデータ１２ｄ５と図９に示すコンビニＦキチジョウジテンの債権データ１２ｄ６には、未だ、固定費以外特定利用先フラグＯＮ“１”のデータが対応付けされていないと仮定する。
【０１８７】
ＣＰＵ１１は、支払額算出アプリ１２ｐ３を起動させ、ステップＳ５２〜Ｓ５４にて取得されたカード番号に対応する固定費フラグＯＦＦのオーソリデータ１２ｄ５、固定費フラグＯＦＦの債権データ１２ｄ６、および予め記憶された利用期間データ１２ｄ６に基づいて、該当するカード利用者の所定の利用期間の固定費以外支払額を算出し、支払額データ１２ｄ８として記憶させる（ステップＳ５５）。
【０１８８】
そして、読み出した固定費フラグＯＦＦのオーソリデータ１２ｄ５に含まれる「利用日」「利用額」と共に、「端末識別番号」に基づき加盟店データ１２ｄ４から読み出した「加盟店名称（利用先名称）」を加えた固定費以外利用明細データを生成し、未確定のカード利用分であることを示す未確定利用情報を付加する。加えて、固定費以外特定利用先フラグＯＮである場合は、特定利用先情報を付加する（ステップＳ５６）。
【０１８９】
ＣＰＵ１１は、未確定利用情報および固定費以外特定利用先フラグＯＮである場合の特定利用先情報を付加した、固定費フラグＯＦＦのオーソリデータ１２ｄ５に対応する利用額の固定費以外利用明細データ「利用日、利用額、加盟店名称（利用先名称）」、固定費以外特定利用先フラグＯＮである場合の特定利用先情報を付加した、固定費フラグＯＦＦの債権データ１２ｄ６に対応する利用額毎の固定費以外利用明細データ「利用日、利用額、加盟店名称（利用先名称）」、および算出された利用期間の固定費以外支払額のデータを、利用者ＩＤに基づいて、固定費以外利用明細データの要求元である利用者端末２０へ送信する（ステップＳ５６，Ｓ５７）。（固定費以外利用明細送信手段）
利用者端末２０において、カード利用管理サーバ１０から送信されたカード利用毎の固定費以外利用明細データおよび所定の利用期間の固定費以外支払額のデータが受信されると（ステップＴ４３（Ｙｅｓ））、ＣＰＵ２１は、例えば、図２６（Ａ）に示すように、受信されたカード利用毎の固定費以外利用明細データを同じ加盟店（利用先）で纏めて利用回数順にソートした利用先毎の固定費以外利用明細データ［コンビニＦキチジョウジテン：４回：３，０００円］ＨＤ１，［コーヒーＢナカノテン：２回：１，５００円］ＨＤ２，［ＫＮＭスポーツクラブ：１回：８，０００円］ＨＤ３，［スーパーＳキチジョウジテン：１回：２，５００円］ＨＤ４の一覧と、該当する利用期間（ここでは１０月２７日支払い分）の固定費以外支払額［１５，０００円］を含めた固定費以外利用明細画面ＧＨ（Ｙ）を生成し（ステップＴ４４）、タッチパネル式表示部２５に表示させる（ステップＴ４５）。
【０１９０】
図２６（Ａ）〜（Ｃ）に示すように、固定費以外利用明細画面ＧＨには、［利用回数順］ボタンＪ１、［利用先カナ順］ボタンＪ２、［利用金額順］ボタンＪ３が設けられ、例えばデフォルトで［利用回数順］ボタンＪ１が選択されている場合、図２６（Ａ）で示したように、カード利用毎の固定費以外利用明細データを同じ加盟店（利用先）で纏めて利用回数順にソートした利用先毎の固定費以外利用明細データ［コンビニＦキチジョウジテン：４回：３，０００円］ＨＤ１，［コーヒーＢナカノテン：２回：１，５００円］ＨＤ２，［ＫＮＭスポーツクラブ：１回：８，０００円］ＨＤ３，［スーパーＳキチジョウジテン：１回：２，５００円］ＨＤ４の一覧が生成される。
【０１９１】
図２６（Ｂ）に示すように、［利用先カナ順］ボタンＪ２が選択された場合は、カード利用毎の固定費以外利用明細データを同じ加盟店（利用先）で纏めて利用先カナ順にソートした利用先毎の固定費以外利用明細データ［コーヒーＢナカノテン：２回：１，５００円］ＨＤ２，［コンビニＦキチジョウジテン：４回：３，０００円］ＨＤ１，［スーパーＳキチジョウジテン：１回：２，５００円］ＨＤ４，［ＫＮＭスポーツクラブ：１回：８，０００円］ＨＤ３の一覧が生成される。
【０１９２】
図２６（Ｃ）に示すように、［利用金額順］ボタンＪ３が選択された場合は、カード利用毎の固定費以外利用明細データを同じ加盟店（利用先）で纏めて利用金額順にソートした利用先毎の固定費以外利用明細データ［ＫＮＭスポーツクラブ：１回：８，０００円］ＨＤ３，［コンビニＦキチジョウジテン：４回：３，０００円］ＨＤ１，［スーパーＳキチジョウジテン：１回：２，５００円］ＨＤ４，［コーヒーＢナカノテン：２回：１，５００円］ＨＤ２の一覧が生成される。
【０１９３】
なお、未確定利用情報の付加されたオーソリデータ１２ｄ５に対応する固定費以外利用明細データ［スーパーＳキチジョウジテン：１回：２，５００円］ＨＤ４が有る場合、ＣＰＵ２１は、未確定のカード利用であることを報知する未確定メッセージＮＴｍを付加して識別可能にした固定費以外利用明細画面ＧＨを生成して表示させる（ステップＴ４４，Ｔ４５）。
【０１９４】
また、特定利用先情報の付加されたオーソリデータ１２ｄ５または債権データ１２ｄ６に対応する固定費以外利用明細データが有る場合（図３０（Ｃ）のＨＤ１，ＨＤ４参照）、ＣＰＵ２１は、カード利用者が任意に指定したカード利用先（固定費以外特定利用先）のカード利用額であることを報知する特定利用先マークＴｍを付加して識別可能にした固定費以外利用明細画面ＧＨを生成して表示させる（ステップＴ４４，Ｔ４５）。
【０１９５】
なお、図２６（Ａ）〜（Ｃ）で示したように、固定費以外利用明細画面ＧＨでは、カード利用毎の固定費以外利用明細データを同じ加盟店（利用先）で纏めてソートした利用先毎の固定費以外利用明細データＨＤ１，ＨＤ２，…となるが、例えば、図２６（Ａ）で示した固定費以外利用明細画面ＧＨにおいて、固定費以外利用明細データ［コンビニＦキチジョウジテン：４回：３，０００円］ＨＤ１に対応して設けた［↓（開く）］ボタンＢｐを操作することで、図２６（Ｄ）に示すように、同じ加盟店（利用先）での１回のカード利用毎の固定費以外利用明細データ［2019.09.08：８００円］ＨＤ１ａ，［2019.09.07：１，０００円］ＨＤ１ｂ，…，［2019.09.03：５００円］ＨＤ１ｄに開いて表示させることができる。
【０１９６】
そして、［↑（閉じる）］ボタンＢｃを操作することで、図２６（Ａ）で示したように、同じ加盟店（利用先）での１回のカード利用毎の固定費以外利用明細データＨＤ１ａ，ＨＤ１ｂ，…，ＨＤ１ｄを閉じて表示させることができる。
【０１９７】
このように、利用者端末２０に表示させる固定費以外利用明細画面ＧＨには、カード利用管理サーバ１０にて固定費以外として自動仕分けされたか、または利用者設定により固定費以外として仕分けされたか、または利用者設定により固定費以外特定利用先として仕分けされたカード加盟店（カード利用先）毎の固定費以外利用明細データＨＤ１，ＨＤ２，…の一覧が表示されるので、カード利用者は、カード利用額に含まれる固定費以外としてのカード加盟店（カード利用先）の支払額を、特定のカード利用先の支払額を識別できる状態で容易に確認することができ、適切に家計管理に役立てることができる。
【０１９８】
＜固定費以外設定変更処理＞（図２７・図２８）
図２７は、カード利用管理サーバ１０と利用者端末２０との間で連携して実行される固定費以外設定変更処理のうち利用者端末２０側での処理を示すフローチャートである。
【０１９９】
図２８は、カード利用管理サーバ１０と利用者端末２０との間で連携して実行される固定費以外設定変更処理のうちカード利用管理サーバ１０側での処理を示すフローチャートである。
【０２００】
図２９は、固定費以外設定変更処理に従った利用者端末２０での画面遷移の一例（その１）を示す図である。
【０２０１】
利用者端末２０において、図２９（Ａ）に示すように、固定費以外利用明細画面ＧＨがタッチパネル式表示部２５に表示された状態で、固定費以外として設定されているカード利用先（ここではＫＭＮスポーツクラブ）を、固定費に設定変更したい場合、設定変更の対象となるＫＭＮスポーツクラブの固定費以外利用明細データＨＤ３の項目をタッチ（指定）して左スワイプすると（ステップＴ５１（Ｙｅｓ））、ＣＰＵ２１は、図２９（Ｂ）に示すように、指定されたＫＭＮスポーツクラブの固定費以外利用明細データＨＤ３の項目に、［固定費にする］ボタンＢＣＸを、固定費を表す紫色（Ｐ）で表示させる（ステップＴ５２）。
【０２０２】
ここで、［固定費にする］ボタンＢＣＸ（Ｐ）がタッチ（押下）されると（ステップＴ５３（Ｙｅｓ））、ＣＰＵ２１は、図２９（Ｃ）に示すように、固定費以外利用明細画面ＧＨ上に固定費の費目を選択する費目選択ウインドウＷｓｈを表示させる（ステップＴ５４）。
【０２０３】
費目選択ウインドウＷｓｈの［キャンセル］ボタンＣａがタッチ（押下）されると（ステップＴ５５（Ｎｏ））、ＣＰＵ２１は、当該ウインドウＷｓｈを消去し（ステップＴ５５ｅ）、図２９（Ｂ）で示した、［固定費にする］ボタンＢＣＸを表示させた状態に戻る（ステップＴ５３）。
【０２０４】
費目選択ウインドウＷｓｈの費目（ここでは「その他ｈ１７」）がタッチ（選択）され、［移動する］ボタンＭｏがタッチ（押下）されると（ステップＴ５５（Ｙｅｓ））、ＣＰＵ２１は、指定されたカード利用先（ここではＫＮＭスポーツクラブ）を固定費の選択された費目（その他ｈ１７）とする移動要求のデータをカード利用管理サーバ１０へ送信し（ステップＴ５６）、図２９（Ａ）で示した固定費以外利用明細画面ＧＨの表示に戻る。
【０２０５】
カード利用管理サーバ１０において、利用者端末２０のステップＴ５６の処理に従い送信された、指定のカード利用先（ここではＫＮＭスポーツクラブ）を固定費（費目：その他ｈ１７）とする移動要求のデータが受信されると（ステップＳ６１（Ｙｅｓ））（固定費変更要求受信手段）、ＣＰＵ１１は、当該指定のカード利用先「ＫＮＭスポーツクラブ」が利用者設定データ１２ｄ３の（利用者設定）固定費以外利用先データ１２ｄ３１（図４参照）にあるか否かを判定する（ステップＳ６２）。
【０２０６】
固定費（費目：その他ｈ１７）として移動要求された指定のカード利用先が（利用者設定）固定費以外利用先データ１２ｄ３１（図４参照）にあると判定された場合（ステップＳ６２（Ｙｅｓ））、ＣＰＵ１１は、当該（利用者設定）固定費以外利用先データ１２ｄ３１にあるカード利用先を消去し（ステップＳ６３）、また、指定のカード利用先「ＫＮＭスポーツクラブ」が利用者設定データ１２ｄ３の（利用者設定）固定費以外特定利用先データ１２ｄ３４（図７参照）にあるか否かを判定する（ステップＳ６４）。
【０２０７】
固定費（費目：その他ｈ１７）として移動要求された指定のカード利用先が（利用者設定）固定費以外特定利用先データ１２ｄ３４（図７参照）にあると判定された場合（ステップＳ６４（Ｙｅｓ））、ＣＰＵ１１は、当該（利用者設定）固定費以外特定利用先データ１２ｄ３４にある指定のカード利用先を消去し（ステップＳ６５）、さらに、指定のカード利用先「ＫＮＭスポーツクラブ」が固定費仕分けデータ１２ｄ１（図３参照）にてデフォルトの固定費に仕分けされているか否かを判定する（ステップＳ６６）。
【０２０８】
ここでは、固定費（費目：その他ｈ１７）として移動要求された指定のカード利用先「ＫＮＭスポーツクラブ」は、固定費仕分けデータ１２ｄ１（図３参照）にてデフォルトの固定費に仕分けされてないと判定されるので（ステップＳ６６（Ｎｏ））、ＣＰＵ１１は、当該指定のカード利用先「ＫＮＭスポーツクラブ」を、図６に示すように、利用者設定データ１２ｄ３の（利用者設定）固定費利用先データ１２ｄ３３として記憶させる（ステップＳ６７）。（固定費以外設定変更手段）
そして、ＣＰＵ１１は、オーソリデータ１２ｄ５（図８参照）および債権データ１２ｄ６（図９参照）にある指定のカード利用先（利用先名称）（ここではＫＮＭスポーツクラブ）に、固定費フラグＯＮ“１”のデータおよび選択された費目（その他ｈ１７）のデータを対応付けて記憶させる(ステップＳ６８)。
【０２０９】
これにより、これまでは図２９（Ａ）の固定費以外利用明細画面ＧＨの固定費以外利用明細データＨＤ３に示すように、固定費以外に仕分けされて管理されていたカード利用先「ＫＮＭスポーツクラブ」を、カード利用者の操作に応じて、図２４（Ｂ）の固定費利用明細画面ＧＸの固定費利用明細データＸＤ１７ａに示すように、固定費（費目：その他ｈ１７）に設定変更して管理できるようになる。
【０２１０】
図３０は、固定費以外設定変更処理に従った利用者端末２０での画面遷移の一例（その２）を示す図である。
【０２１１】
利用者端末２０において、図３０（Ａ）に示すように、固定費以外利用明細画面ＧＨがタッチパネル式表示部２５に表示された状態で、固定費以外として設定されているカード利用先（ここでは「コンビニＦキチジョウジテン」と「スーパーＳキチジョウジテン」）を、固定費以外の中でも例えば食費として特定の利用先に仕分けすべく設定変更したい場合、設定変更の対象となる「コンビニＦキチジョウジテン」と「スーパーＳキチジョウジテン」の固定費以外利用明細データＨＤ１，ＨＤ４の項目をタッチ（指定）して右スワイプすると（ステップＴ５７（Ｙｅｓ））、ＣＰＵ２１は、図３０（Ｂ）に示すように、指定された固定費以外利用明細データＨＤ１，ＨＤ４の項目に、固定費以外特定利用先への設定変更を示すピン留めマークＰｍを表示させる（ステップＴ５８）。
【０２１２】
そしてＣＰＵ２１は、指定されたカード利用先（ここでは「コンビニＦキチジョウジテン」と「スーパーＳキチジョウジテン」）を固定費以外の特定利用先に設定変更する要求のデータをカード利用管理サーバ１０へ送信する（ステップＴ５９）。
【０２１３】
カード利用管理サーバ１０において、利用者端末２０のステップＴ５９の処理に従い送信された、指定のカード利用先（「コンビニＦキチジョウジテン」と「スーパーＳキチジョウジテン」）を固定費以外の特定利用先に設定変更する要求のデータが受信されると（ステップＳ６９（Ｙｅｓ））（特定利用先変更要求受信手段）、ＣＰＵ１１は、当該指定のカード利用先（「コンビニＦキチジョウジテン」と「スーパーＳキチジョウジテン」）を、図７に示すように、利用者設定データ１２ｄ３の（利用者設定）固定費以外特定利用先データ１２ｄ３４として記憶させる（ステップＳ６１０）。（特定利用先設定変更手段）
そして、ＣＰＵ１１は、オーソリデータ１２ｄ５（図８参照）および債権データ１２ｄ６（図９参照）にある指定のカード利用先（利用先名称）、ここではオーソリデータ１２ｄ５（図８参照）の「スーパーＳキチジョウジテン」に対応する端末識別番号“２３４５６”および債権データ１２ｄ６（図９参照）の「コンビニＦキチジョウジテン」のそれぞれに、固定費以外特定利用先フラグＯＮ“１”のデータを対応付けて記憶させる(ステップＳ６１１)。
【０２１４】
これにより、これまでは図３０（Ａ）の固定費以外利用明細画面ＧＨの固定費以外利用明細データＨＤ１，ＨＤ４に示すように、非特定（通常）の固定費以外に仕分けされて管理されていたカード利用先（「コンビニＦキチジョウジテン」と「スーパーＳキチジョウジテン」）を、カード利用者の操作に応じて、図３０（Ｃ）の固定費以外利用明細画面ＧＨの固定費以外利用明細データＨＤ１，ＨＤ４に示すように、特定利用先マークＴｍを付加して識別可能にした固定費以外の中の例えば食費に属する特定の利用先に設定変更して管理できるようになる。この際、特定利用先マークＴｍを付加した固定費以外利用明細データＨＤ１，ＨＤ４は、固定費以外利用明細画面ＧＨの先頭にソートされた上で、［利用回数順］ボタンＪ１または［利用先カナ順］ボタンＪ２または［利用金額順］ボタンＪ３の選択に応じてソートされて表示される。
【０２１５】
図２０・図２１で示した固定費設定変更処理に従い、図２４（Ｂ）で示したように指定のカード利用先の利用額（ＫＮＭスポーツクラブ：８，０００円）が固定費以外からその他ｈ１の固定費に設定変更され、また、図２７・図２８で示した固定費以外設定変更処理に従い、図３０（Ｃ）で示したように指定のカード利用先の利用額（コンビニＦキチジョウジテン：３，０００円／スーパーＳキチジョウジテン：２，５００円）が固定費以外の中の特定利用先の利用額に設定変更された状態において、図１５を参照して説明した家計画面生成・表示処理が実行されると、図１６（Ｂ）で示した家計画面ＧＫから図３０（Ｄ）の家計画面ＧＫに示すように、支払額グラフＰＧ（２３，０００円）のうち固定費支払額Ｘ（Ｐ）が８，０００円から１６，０００円、固定費以外支払額Ｈ（Ｙ）が１５，０００円から７，０００円、当該固定費以外支払額Ｈ（Ｙ）のうち特定利用先支払額Ｔ（Ｂ）が５，５００円と設定変更されて表示される。
【０２１６】
よって、カード利用による支出を、例えば固定費としてのカード利用先と固定費以外としてのカード利用先との複数のカテゴリに自動で分類して容易に確認できるだけなく、支出（カード利用先）によりデフォルトで設定されている固定費としての利用先を固定費以外の利用先に設定変更したり、当該固定費以外の利用先を固定費としての利用先に設定変更したり、固定費以外の中の特定利用先に設定変更したりして、カード利用者の任意のカテゴリに分類して適切に家計管理することが可能になる。
【０２１７】
図３１は、固定費以外設定変更処理に従った利用者端末２０での画面遷移の一例（その３）を示す図である。
【０２１８】
利用者端末２０において、図３１（Ａ）に示すように、固定費以外利用明細画面ＧＨがタッチパネル式表示部２５に表示された状態で、特定利用先マークＴｍが付加されて固定費以外特定利用先として設定されているカード利用先（「コンビニＦキチジョウジテン」と「スーパーＳキチジョウジテン」）について、特定利用先としての設定を解除したい場合、設定解除の対象となる「コンビニＦキチジョウジテン」と「スーパーＳキチジョウジテン」の固定費以外利用明細データＨＤ１，ＨＤ４の項目をタッチ（指定）して右スワイプすると（ステップＴ５１０（Ｙｅｓ））、ＣＰＵ２１は、図３１（Ｂ）に示すように、指定された固定費以外利用明細データＨＤ１，ＨＤ４の項目に、固定費以外特定利用先からの設定解除を示すピン留め解除マークＤＰｍを表示させる（ステップＴ５１１）。
【０２１９】
そしてＣＰＵ２１は、指定されたカード利用先（ここでは「コンビニＦキチジョウジテン」と「スーパーＳキチジョウジテン」）について、固定費以外の特定利用先から解除する要求のデータをカード利用管理サーバ１０へ送信する（ステップＴ５１２）。
【０２２０】
カード利用管理サーバ１０において、利用者端末２０のステップＴ５１２の処理に従い送信された、指定のカード利用先（「コンビニＦキチジョウジテン」と「スーパーＳキチジョウジテン」）を固定費以外の特定利用先から解除する要求のデータが受信されると（ステップＳ６１２（Ｙｅｓ））、ＣＰＵ１１は、当該指定のカード利用先（「コンビニＦキチジョウジテン」と「スーパーＳキチジョウジテン」）を、図７で示した（利用者設定）固定費以外特定利用先データ１２ｄ３４から消去する（ステップＳ６１３）。
【０２２１】
そして、ＣＰＵ１１は、オーソリデータ１２ｄ５（図８参照）および債権データ１２ｄ６（図９参照）にある指定のカード利用先（利用先名称）、ここではオーソリデータ１２ｄ５（図８参照）の「スーパーＳキチジョウジテン」に対応する端末識別番号“２３４５６”および債権データ１２ｄ６（図９参照）の「コンビニＦキチジョウジテン」のそれぞれに対応付けられた固定費以外特定利用先フラグＯＮ“１”のデータを消去し、固定費以外特定利用先フラグＯＦＦに変更する(ステップＳ６１４)。
【０２２２】
これにより、カード利用者が任意に固定費以外のカード利用先から当該固定費以外の中の特定利用先に設定変更したカード利用先でも、当該特定利用先ではない通常の固定費以外のカード利用先に容易に戻すこともできる。
【０２２３】
＜実施形態のまとめ＞
実施形態のカード利用管理システムによれば、カード利用者のカード利用に応じて、加盟店端末３０からカード決済オンラインネットワークＳＮに送信されたカード番号、利用日時、端末識別番号、利用額を含むオーソリデータ１２ｄ５が、カード利用管理サーバ１０に受信されると、カード利用管理サーバ１０は、受信されたオーソリデータ１２ｄ５を管理データ記憶エリア１２Ｄに記憶させる。
【０２２４】
また、オーソリデータ１２ｄ５に対応するカード番号、利用日時、加盟店名称（利用先名称）、利用額を含む利用額確定データが、カード決済オンラインネットワークＳＮを介してカード利用管理サーバ１０に受信されると、カード利用管理サーバ１０は、受信された利用額確定データに対応する管理データ記憶エリア１２Ｄのオーソリデータ１２ｄ５を無効化し、当該利用額確定データを債権データ１２ｄ６として管理データ記憶エリア１２Ｄに記憶させる。
【０２２５】
オーソリデータ１２ｄ５の管理データ記憶エリア１２Ｄへの記憶は、当該オーソリデータ１２ｄ５に含まれる端末識別番号に基づき加盟店データ１２ｄ４から加盟店名称（利用先名称）を取得し、取得した利用先名称が、利用者設定データ１２ｄ３の固定費費目データ１２ｄ３２に有る場合、または利用者設定データ１２ｄ３の固定費利用先データ１２ｄ３３に有る場合、または固定費仕分けデータ１２ｄ１にデフォルトで仕分けされた利用先名称に有る場合、当該オーソリデータ１２ｄ５に固定費フラグＯＮ“１”とその費目のデータを対応付けて管理データ記憶エリア１２Ｄに記憶させ、取得した利用先名称が、利用者設定データ１２ｄ３の固定費以外特定利用先データ１２ｄ３４に有る場合、固定費以外特定利用先フラグＯＮ“１”のデータを対応付けて記憶させる。
【０２２６】
また債権データ１２ｄ６も、当該債権データ１２ｄ６に含まれる利用先名称が、利用者設定データ１２ｄ３の固定費費目データ１２ｄ３２に有る場合、または利用者設定データ１２ｄ３の固定費利用先データ１２ｄ３３に有る場合、または固定費仕分けデータ１２ｄ１にデフォルトで仕分けされた利用先名称に有る場合、当該債権データ１２ｄ６に固定費フラグＯＮ“１”とその費目のデータを対応付けて管理データ記憶エリア１２Ｄに記憶させ、利用先名称が、利用者設定データ１２ｄ３の固定費以外特定利用先データ１２ｄ３４に有る場合、固定費以外特定利用先フラグＯＮ“１”のデータを対応付けて記憶させる。
【０２２７】
カード利用者端末２０からカード利用管理サーバ１０に、利用者ＩＤおよび家計画面ＧＸを要求するデータが受信されると、カード利用管理サーバ１０は、受信された利用者ＩＤに対応するカード番号のオーソリデータ１２ｄ５および債権データ１２ｄ６を取得し、所定のカード利用期間の支払日に対応した支払額を算出すると共に、当該オーソリデータ１２ｄ５および債権データ１２ｄ６に対応付けられた固定費フラグＯＮまたは固定費以外特定利用先フラグＯＮのデータに基づいて、固定費支払額、固定費以外支払額、固定費以外特定利用先支払額を算出し、算出された各支払額を家計画面生成用データとしてカード利用者端末２０へ送信する。
【０２２８】
カード利用者端末２０は、受信された家計画面生成用データの所定の利用期間の各支払額に基づいて、固定費支払額Ｘ（Ｐ）と固定費以外支払額Ｈ（Ｙ）と固定費以外特定利用先支払額Ｔ（Ｂ）とを区別した支払額グラフＰＧのイメージ画像を有する家計画面ＧＫを生成し、タッチパネル式表示部２５に表示させる。
【０２２９】
また、カード利用管理サーバ１０は、カード利用者端末２０から利用者ＩＤおよび固定費利用明細を要求するデータが受信されると、受信された利用者ＩＤに対応するカード番号のオーソリデータ１２ｄ５および債権データ１２ｄ６のうち、固定費フラグＯＮと費目のデータが対応付けられたオーソリデータ１２ｄ５および債権データ１２ｄ６を取得し、所定の利用期間の支払日に対応するカード利用毎の利用日、利用先名称、利用額、費目を含む固定費利用明細データをカード利用者端末１０に送信する。
【０２３０】
カード利用者端末２０は、受信された固定費利用明細データに基づいて、費目別に、利用日、利用先名称、利用額を含む固定費利用明細を一覧にした固定費利用明細画面ＧＸを生成し、タッチパネル式表示部２５に表示させる。
【０２３１】
カード利用者端末２０の固定費利用明細画面ＧＸにおいて、固定費利用明細の一覧から任意の利用先を指定すると共に別の費目を選択して設定変更する操作を行なうと、指定の利用先を固定費の別の費目に設定変更する要求がカード利用管理サーバ１０へ送信され、カード利用管理サーバ１０は、指定の利用先と選択された費目を、利用者設定データ１２ｄ３の固定費費目データ１２ｄ３２に記憶させる。
【０２３２】
カード利用者端末２０の固定費利用明細画面ＧＸにおいて、固定費利用明細の一覧から任意の利用先を指定して固定費から固定費以外に設定変更する操作を行なうと、指定の利用先を固定費以外に設定変更する要求がカード利用管理サーバ１０へ送信され、カード利用管理サーバ１０は、指定の利用先を、利用者設定データ１２ｄ３の固定費以外利用先データ１２ｄ３１に記憶させる。
【０２３３】
また、カード利用管理サーバ１０は、カード利用者端末２０から利用者ＩＤおよび固定費以外利用明細を要求するデータが受信されると、受信された利用者ＩＤに対応するカード番号のオーソリデータ１２ｄ５および債権データ１２ｄ６のうち、固定費フラグＯＦＦのオーソリデータ１２ｄ５および債権データ１２ｄ６を取得し、所定の利用期間の支払日に対応するカード利用毎の利用日、利用先名称、利用額を含む固定費以外利用明細データを、固定費以外特定利用先フラグＯＮの固定費以外利用明細データには特定利用先情報を付加してカード利用者端末１０に送信する。
【０２３４】
カード利用者端末２０は、受信された固定費以外利用明細データに基づいて、利用先毎に、利用先名称、利用額を含み、特定利用先情報の付加された固定費以外利用明細データには特定利用先マークＴｍを付加してなる固定費以外利用明細を一覧にした固定費以外利用明細画面ＧＨを生成し、タッチパネル式表示部２５に表示させる。
【０２３５】
カード利用者端末２０の固定費以外利用明細画面ＧＨにおいて、固定費以外利用明細の一覧から任意の利用先を指定して固定費以外から固定費に設定変更する操作を行なうと、指定の利用先を固定費に設定変更する要求がカード利用管理サーバ１０へ送信され、カード利用管理サーバ１０は、指定の利用先を、利用者設定データ１２ｄ３の固定費利用先データ１２ｄ３３に記憶させる。
【０２３６】
カード利用者端末２０の固定費以外利用明細画面ＧＨにおいて、固定費以外利用明細の一覧から任意の利用先を指定して固定費以外特定利用先に設定変更する操作を行なうと、指定の利用先を固定費以外特定利用先に設定変更する要求がカード利用管理サーバ１０へ送信され、カード利用管理サーバ１０は、指定の利用先を、利用者設定データ１２ｄ３の固定費以外特定利用先データ１２ｄ３４に記憶させる。
【０２３７】
よって、カード利用による支出を、例えば費目別の固定費としてのカード利用先と固定費以外としてのカード利用先との複数のカテゴリに自動で分類して容易に確認できるだけなく、支出（カード利用先）によりデフォルトで設定されている費目別の固定費としての利用先を、同固定費内の別の費目に設定変更したり、固定費以外の利用先に設定変更したり、また固定費以外の利用先を、費目別の固定費としての利用先に設定変更したり、固定費以外の中の特定利用先に設定変更したりして、カード利用者の任意のカテゴリに分類して適切に家計管理することが可能になる。
【０２３８】
また、固定費利用明細画面ＧＸの費目別にした利用先の固定費利用明細および固定費以外利用明細画面ＧＨの各利用先の固定費以外利用明細において、オーソリデータ１２ｄ５に基づく利用明細がある場合、当該利用明細には未確定メッセージＮＴｍが付加されて表示されるので、カード利用者は、支払が未確定のカード利用の利用分をカード利用額の確定を待たずに直ちに確認できる。
【０２３９】
なお、前記実施形態では、固定費仕分けデータ１２ｄ１によりデフォルトで費目別の固定費として仕分けされているカード利用先を、固定費以外に設定変更する場合、例えば図２２で示したように、カード利用者端末２０に表示された固定費利用明細画面ＧＸの固定費利用明細の一覧から設定変更の対象となるカード利用先を指定することで、カード利用管理サーバ１０側での設定変更が実行される構成として説明したが、このような固定費から固定費以外への設定変更の対象となるカード利用先を指定する仕方は、前記実施形態の構成に限らない。例えば固定費仕分けデータ１２ｄ１にある各カード利用先の一覧をカード利用者端末２０に表示させ、当該一覧から設定変更の対象となるカード利用先を指定することで、カード利用管理サーバ１０側での設定変更が実行される構成としてもよい。
【０２４０】
また同様に、前記実施形態では、固定費仕分けデータ１２ｄ１に基づき固定費以外に仕分けされたカード利用先を、固定費あるいは固定費以外特定利用先に設定変更する場合、例えば図２９あるいは図３０で示したように、カード利用者端末２０に表示された固定費以外利用明細画面ＧＨの固定費以外利用明細の一覧から設定変更の対象となるカード利用先を指定することで、カード利用管理サーバ１０側での設定変更が実行される構成として説明したが、このような固定費以外から固定費あるいは固定費以外特定利用先への設定変更の対象となるカード利用先を指定する仕方は、前記実施形態の構成に限らない。例えば図８で示したオーソリデータ１２ｄ５および図９で示した債権データ１２ｄ６にある固定費フラグＯＦＦで且つ固定費以外特定利用先フラグＯＦＦである各カード利用先（すなわち固定費以外カード利用先）の一覧をカード利用者端末２０に表示させ、当該一覧から設定変更の対象となるカード利用先を指定することで、カード利用管理サーバ１０側での設定変更が実行される構成としてもよい。
【０２４１】
また、前記実施形態において、家計画面ＧＫにおける、今回の支払額に応じた支払額グラフＰＧの表示は、棒グラフに限らず、円グラフなどの他の形式のグラフであってもよいのは勿論である。
【０２４２】
また、前記実施形態において、加盟店端末３０は、実店舗に設置された端末の場合に限らず、インターネット上の加盟店（ネットショップ）のサーバの場合であっても同様に実施可能であるのは勿論である。
【０２４３】
前記各実施形態において記載したカード利用管理システムのカード利用管理サーバ１０と利用者端末２０とによる各処理の手法、すなわち、図１１のフローチャートに示すカード利用データ格納処理、図１２のフローチャートに示す固定費／固定費以外仕分け処理、図１３のフローチャートに示すホーム画面生成・表示処理、図１４のフローチャートに示すメイン画面生成用データ取得・送信処理とメイン画面生成・表示処理、図１５のフローチャートに示す家計画面生成用データ取得・送信処理と家計画面生成・表示処理、図１７のフローチャートに示す固定費利用明細表示処理、図２０・図２１のフローチャートに示す固定費設定変更処理、図２５のフローチャートに示す固定費以外利用明細表示処理、図２７・図２８に示す固定費以外設定変更処理などの各手法は、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の記録媒体に格納して配布することができる。
【０２４４】
また、前記各実施形態の各手法を実現するためのプログラムのデータは、プログラムコードの形態として通信ネットワーク上を伝送させることができ、このプログラムデータを、通信ネットワークに接続された電子機器のコンピュータ（プロセッサ）に通信部によって取り込むことで、前述した固定費／固定費以外仕分け機能、家計画面生成用データ取得・送信機能、家計画面生成・表示機能、固定費利用明細表示機能、固定費設定変更機能、固定費以外利用明細表示機能、固定費以外設定変更機能を含む各種の機能を実現することもできる。
【０２４５】
なお、本発明は、前記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【０２４６】
１０  …カード利用管理サーバ
２０  …カード利用者端末
３０  …加盟店（利用先）端末
ＩＮ  …通信ネットワーク（インターネット）
ＳＮ  …カード決済オンラインネットワーク
ＧＭ  …メイン画面
ＧＫ  …家計画面
ＢＣ  …［メイン／家計］ボタン
ＰＧ  …支払額グラフ
ＮＴ  …未確定利用分
Ｈ  …固定費以外支払額
Ｔ  …固定費以外特定利用先支払額
Ｘ  …固定費支払額
ＢＨ  …［固定費以外］ボタン
ＢＸ  …［固定費］ボタン
ＧＸ  …固定費利用明細画面
ｈ１〜ｈ１７…費目
ＸＤ１，ＸＤ２，…固定費利用明細データ
Ｂｐ  …［↓（開く）］ボタン
Ｂｃ  …［↑（閉じる）］ボタン
ＢＭＸ…［別の固定費にする］ボタン
ＢＮＸ…［固定費にしない］ボタン
Ｗｈ  …移動確認ウインドウ
Ｗｓｈ…費目選択ウインドウ
ＧＨ  …固定費以外利用明細画面
Ｊ１  …［利用回数順］ボタン
Ｊ２  …［利用先カナ順］ボタン
Ｊ３  …［利用金額順］ボタン
ＨＤ１，ＨＤ２，…固定費以外利用明細データ
ＮＴｍ…未確定メッセージ
ＢＣＸ…［固定費にする］ボタン
Ｐｍ  …ピン留めマーク
Ｔｍ  …特定利用先マーク
ＤＰｍ…ピン留め解除マーク
【要約】
【課題】カード利用による支出を複数のカテゴリに自動で分類して容易に確認できるだけなく、支出によりカード利用者の任意のカテゴリに分類して適切に家計管理する。
【解決手段】カード利用管理サーバ１０は、カード利用に応じて受信されるオーソリデータ１２ｄ５と債権データ（利用額確定データ）１２ｄ６を、固定費仕分けデータ１２ｄ１にて固定費に仕分けされた加盟店名称（利用先名称）または利用者設定データ１２ｄ３にある固定費利用先または固定費以外利用先または固定費以外特定利用先に基づいて、固定費フラグまたは固定費以外特定利用先フラグを対応付けて管理データ記憶エリア１２Ｄに記憶させる。固定費利用先と固定費以外利用先と固定費以外特定利用先の各支払額を算出してカード利用者端末２０へ送信し、固定費支払額Ｘと固定費以外支払額Ｈと固定費以外特定利用先支払額Ｔとを区別した支払額グラフＰＧの家計画面ＧＫを表示させる。
【選択図】      図２【図１】
0006915116.tif 000002
【図２】
0006915116.tif 000003
【図３】
0006915116.tif 000004
【図４】
0006915116.tif 000005
【図５】
0006915116.tif 000006
【図６】
0006915116.tif 000007
【図７】
0006915116.tif 000008
【図８】
0006915116.tif 000009
【図９】
0006915116.tif 000010
【図１０】
0006915116.tif 000011
【図１１】
0006915116.tif 000012
【図１２】
0006915116.tif 000013
【図１３】
0006915116.tif 000014
【図１４】
0006915116.tif 000015
【図１５】
0006915116.tif 000016
【図１６】
0006915116.tif 000017
【図１７】
0006915116.tif 000018
【図１８】
0006915116.tif 000019
【図１９】
0006915116.tif 000020
【図２０】
0006915116.tif 000021
【図２１】
0006915116.tif 000022
【図２２】
0006915116.tif 000023
【図２３】
0006915116.tif 000024
【図２４】
0006915116.tif 000025
【図２５】
0006915116.tif 000026
【図２６】
0006915116.tif 000027
【図２７】
0006915116.tif 000028
【図２８】
0006915116.tif 000029
【図２９】
0006915116.tif 000030
【図３０】
0006915116.tif 000031
【図３１】
0006915116.tif 000032